(57)【要約】【課題】無線通信システムにおいてＳＣＧ変更手順の間にＳＣｅｌｌを非活性化する方法及びその装置を提供する。【解決手段】前記方法は、マスター基地局内のプライマリセル（Ｐｒｉｍａｒｙ  Ｃｅｌｌ；ＰＣｅｌｌ）、セカンダリ基地局内のプライマリセカンダリセル（Ｐｒｉｍａｒｙ−Ｓｅｃｏｎｄａｒｙ  Ｃｅｌｌ；ＰＳＣｅｌｌ）、及び一つ以上のセカンダリセル（Ｓｅｃｏｎｄａｒｙ  Ｃｅｌｌｓ；ＳＣｅｌｌ）を設定するステップと、前記マスター基地局との接続を維持したまま、セカンダリセルグループ（Ｓｅｃｏｎｄａｒｙ  Ｃｅｌｌ  Ｇｒｏｕｐ；ＳＣＧ）変更手順を示す無線リソース制御（Ｒａｄｉｏ  Ｒｅｓｏｕｒｃｅ  Ｃｏｎｔｒｏｌ；ＲＲＣ）再設定メッセージを受信するステップと、前記ＳＣＧ変更手順によって、前記ＰＳＣｅｌｌが変更されない場合、前記セカンダリ基地局内の全ＳＣｅｌｌを非活性化するステップとを含む。【選択図】図１６
2017528954.tif 000002
【特許請求の範囲】
【請求項１】
無線通信システムで動作する端末（Ｕｓｅｒ  Ｅｑｕｉｐｍｅｎｔ）に対する方法であって、
マスター基地局内のプライマリセル（Ｐｒｉｍａｒｙ  Ｃｅｌｌ；ＰＣｅｌｌ）、セカンダリ基地局内のプライマリセカンダリセル（Ｐｒｉｍａｒｙ−Ｓｅｃｏｎｄａｒｙ  Ｃｅｌｌ；ＰＳＣｅｌｌ）、及び一つ以上のセカンダリセル（Ｓｅｃｏｎｄａｒｙ  Ｃｅｌｌｓ；ＳＣｅｌｌ）を設定するステップと、
前記マスター基地局との接続を維持したまま、セカンダリセルグループ（Ｓｅｃｏｎｄａｒｙ  Ｃｅｌｌ  Ｇｒｏｕｐ；ＳＣＧ）変更手順を示す無線リソース制御（Ｒａｄｉｏ  Ｒｅｓｏｕｒｃｅ  Ｃｏｎｔｒｏｌ；ＲＲＣ）再設定メッセージを受信するステップと、
前記ＳＣＧ変更手順によって、前記ＰＳＣｅｌｌが変更されない場合、前記セカンダリ基地局内の前記一つ以上のＳＣｅｌｌを非活性化するステップと、を含む、方法。
【請求項２】
前記ＳＣＧ変更手順によって、前記ＰＳＣｅｌｌとは異なる新しいＰＳＣｅｌｌが追加される場合、前記新しいＰＳＣｅｌｌを除く前記セカンダリ基地局内の前記ＰＳＣｅｌｌ及び全ＳＣｅｌｌを非活性化するステップをさらに含む、請求項１に記載の方法。
【請求項３】
前記ＲＲＣ再設定メッセージが前記セカンダリ基地局内の前記ＰＳＣｅｌｌの前記新しいＰＳＣｅｌｌへの変更を示す場合、前記ＲＲＣ再設定メッセージは、
前記新しいＰＳＣｅｌｌの指示、
前記ＰＳＣｅｌｌから前記新しいＰＳＣｅｌｌへの変更の指示、
前記ＰＳＣｅｌｌの解除及び前記新しいＰＳＣｅｌｌの追加の指示、
前記新しいＰＳＣｅｌｌの追加の指示、
前記新しいＰＳＣｅｌｌとして用いられるＳＣｅｌｌの指示、及び
前記新しいＰＳＣｅｌｌが変更されるセカンダリ基地局の指示の少なくとも一つを含む、請求項１に記載の方法。
【請求項４】
前記セカンダリ基地局内の前記一つ以上のＳＣｅｌｌを非活性化する時、前記セカンダリ基地局内のＳＣｅｌｌに対するＳＣｅｌｌ非活性タイマーを止めるステップをさらに含む、請求項１に記載の方法。
【請求項５】
前記マスター基地局内の一つ以上のＳＣｅｌｌは、活性化又は非活性化状態を変更しない、請求項１に記載の方法。
【請求項６】
無線通信システムにおいて動作する端末（Ｕｓｅｒ  Ｅｑｕｉｐｍｅｎｔ）であって、
無線通信（Ｒａｄｉｏ  Ｆｒｅｑｕｅｎｃｙ；ＲＦ）モジュールと、
前記ＲＦモジュールを制御するプロセッサと、を備え、
前記プロセッサは、
マスター基地局内のプライマリセル（Ｐｒｉｍａｒｙ  Ｃｅｌｌ；ＰＣｅｌｌ）、セカンダリ基地局内のプライマリセカンダリセル（Ｐｒｉｍａｒｙ−Ｓｅｃｏｎｄａｒｙ  Ｃｅｌｌ；ＰＳＣｅｌｌ）、及び一つ以上のセカンダリセル（Ｓｅｃｏｎｄａｒｙ  Ｃｅｌｌｓ；ＳＣｅｌｌ）を設定し、前記マスター基地局との接続を維持したまま、セカンダリセルグループ（Ｓｅｃｏｎｄａｒｙ  Ｃｅｌｌ  Ｇｒｏｕｐ；ＳＣＧ）変更手順を示す無線リソース制御（Ｒａｄｉｏ  Ｒｅｓｏｕｒｃｅ  Ｃｏｎｔｒｏｌ；ＲＲＣ）再設定メッセージを受信し、前記ＳＣＧ変更手順によって、前記ＰＳＣｅｌｌが変更されない場合、前記セカンダリ基地局内の前記一つ以上のＳＣｅｌｌを非活性化するように構成される、端末。
【請求項７】
前記ＳＣＧ変更手順によって、前記ＰＳＣｅｌｌとは異なる新しいＰＳＣｅｌｌが追加される場合、前記プロセッサはさらに、前記新しいＰＳＣｅｌｌを除く前記セカンダリ基地局内の前記ＰＳＣｅｌｌ及び全ＳＣｅｌｌを非活性化するように構成される、請求項６に記載の端末。
【請求項８】
前記ＲＲＣ再設定メッセージが前記セカンダリ基地局内の前記ＰＳＣｅｌｌの前記新しいＰＳＣｅｌｌへの変更を示す場合、前記ＲＲＣ再設定メッセージは、
前記新しいＰＳＣｅｌｌの指示、
前記ＰＳＣｅｌｌから前記新しいＰＳＣｅｌｌへの変更の指示、
前記ＰＳＣｅｌｌの解除及び前記新しいＰＳＣｅｌｌの追加の指示、
前記新しいＰＳＣｅｌｌの追加の指示、
前記新しいＰＳＣｅｌｌとして用いられるＳＣｅｌｌの指示、及び
前記新しいＰＳＣｅｌｌが変更されるセカンダリ基地局の指示の少なくとも一つを含む、請求項６に記載の端末。
【請求項９】
前記セカンダリ基地局内の前記一つ以上のＳＣｅｌｌを非活性化する時、前記プロセッサはさらに、前記セカンダリ基地局内のＳＣｅｌｌに対するＳＣｅｌｌ非活性タイマーを止めるように構成される、請求項６に記載の端末。
【請求項１０】
前記マスター基地局内の一つ以上のＳＣｅｌｌは、活性化又は非活性化状態を変更しない、請求項６に記載の端末。
【発明の詳細な説明】
【技術分野】
【０００１】
本発明は、無線通信システムに関し、特に、ＳＣＧ（Ｓｅｃｏｎｄａｒｙ  Ｃｅｌｌ  Ｇｒｏｕｐ）変更手順の間にＳＣｅｌｌを非活性化する方法及びその装置に関する。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、“ＬＴＥ”という）通信システムについて概略的に説明する。
【０００３】
図１は、無線通信システムの一例として、Ｅ−ＵＭＴＳ網の構造を概略的に示した図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在、３ＧＰＰで基礎的な標準化作業を進めている。一般に、Ｅ−ＵＭＴＳは、ＬＴＥ（Ｌｏｎｇ  Ｔｅｒｍ  Ｅｖｏｌｕｔｉｏｎ）システムと称することもできる。ＵＭＴＳ及びＥ−ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ−ＵＴＲＡＮ）の終端に位置し、外部ネットワークと接続される接続ゲートウェイ（Ａｃｃｅｓｓ  Ｇａｔｅｗａｙ；ＡＧ）を含む。基地局は、ブロードキャストサービス、マルチキャストサービス及び／またはユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末にダウンリンクまたはアップリンク送信サービスを提供する。互いに異なるセルは、互いに異なる帯域幅を提供するように設定することができる。基地局は、多数の端末に対するデータ送受信を制御する。ダウンリンク（Ｄｏｗｎｌｉｎｋ；ＤＬ）データに対して、基地局は、ダウンリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、アップリンク（Ｕｐｌｉｎｋ；ＵＬ）データに対して、基地局は、アップリンクスケジューリング情報を該当の端末に送信し、該当の端末が使用可能な時間／周波数領域、符号化、データサイズ、ＨＡＲＱ関連情報などを知らせる。各基地局間には、ユーザトラフィックまたは制御トラフィックの送信のためのインターフェースを使用することができる。核心網（Ｃｏｒｅ  Ｎｅｔｗｏｒｋ；ＣＮ）は、ＡＧ及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術は、ＷＣＤＭＡに基づいてＬＴＥまで開発されてきたが、ユーザと事業者の要求と期待は持続的に増加している。また、他の無線接続技術が継続して開発されているので、今後、競争力を有するためには新たな技術進化が要求され、ビット当たりの費用減少、サービス可用性増大、融通性のある周波数バンドの使用、単純構造と開放型インターフェース、端末の適切なパワー消耗などが要求される。
【発明の概要】
【発明が解決しようとする課題】
【０００７】
本発明の課題は、ＳＣＧ変更手順の間にＳＣｅｌｌを非活性化する方法及びその装置における問題点を解決することである。本発明で解決しようとする技術的課題は以上で言及した技術的課題に制限されず、言及しなかった他の技術的課題は下記の記載から本発明が属する技術分野で通常の知識を有する者に明らかに理解可能である。
【課題を解決するための手段】
【０００８】
本発明の課題を解決するための、無線通信システムにおいて端末が動作を行う方法であって、前記方法は、マスター基地局内のプライマリセル（Ｐｒｉｍａｒｙ  Ｃｅｌｌ；ＰＣｅｌｌ）、セカンダリ基地局内のプライマリセカンダリセル（Ｐｒｉｍａｒｙ−Ｓｅｃｏｎｄａｒｙ  Ｃｅｌｌ；ＰＳＣｅｌｌ）、及び一つ以上のセカンダリセル（Ｓｅｃｏｎｄａｒｙ  Ｃｅｌｌｓ；ＳＣｅｌｌ）を設定するステップと、前記マスター基地局との接続を維持したまま、セカンダリセルグループ（Ｓｅｃｏｎｄａｒｙ  Ｃｅｌｌ  Ｇｒｏｕｐ；ＳＣＧ）変更手順を示す無線リソース制御（Ｒａｄｉｏ  Ｒｅｓｏｕｒｃｅ  Ｃｏｎｔｒｏｌ；ＲＲＣ）再設定メッセージを受信するステップと、前記ＳＣＧ変更手順によって、前記ＰＳＣｅｌｌが変更されない場合、前記セカンダリ基地局内の全ＳＣｅｌｌを非活性化するステップとを含む。
【０００９】
本発明の他の側面の無線通信システムで動作する端末であって、前記端末は、無線通信（Ｒａｄｉｏ  Ｆｒｅｑｕｅｎｃｙ；ＲＦ）モジュールと、前記ＲＦモジュールを制御するプロセッサとを備え、前記プロセッサは、マスター基地局内のプライマリセル（Ｐｒｉｍａｒｙ  Ｃｅｌｌ；ＰＣｅｌｌ）、セカンダリ基地局内のプライマリセカンダリセル（Ｐｒｉｍａｒｙ−Ｓｅｃｏｎｄａｒｙ  Ｃｅｌｌ；ＰＳＣｅｌｌ）、及び一つ以上のセカンダリセル（Ｓｅｃｏｎｄａｒｙ  Ｃｅｌｌｓ；ＳＣｅｌｌ）を設定し、前記マスター基地局との接続を維持したまま、セカンダリセルグループ（Ｓｅｃｏｎｄａｒｙ  Ｃｅｌｌ  Ｇｒｏｕｐ；ＳＣＧ）変更手順を示す無線リソース制御（Ｒａｄｉｏ  Ｒｅｓｏｕｒｃｅ  Ｃｏｎｔｒｏｌ；ＲＲＣ）再設定メッセージを受信し、前記ＳＣＧ変更手順によって、前記ＰＳＣｅｌｌが変更されない場合、前記セカンダリ基地局内の全ＳＣｅｌｌを非活性化することを含む。
【００１０】
好ましくは、前記ＳＣＧ変更手順によって、前記ＰＳＣｅｌｌとは異なる新しいＰＳＣｅｌｌが追加される場合、前記新しいＰＳＣｅｌｌを除く前記セカンダリ基地局内の前記ＰＳＣｅｌｌ及び全ＳＣｅｌｌを非活性化するステップをさらに含む。
【００１１】
好ましくは、前記ＲＲＣ再設定メッセージが前記セカンダリ基地局内の前記ＰＳＣｅｌｌの前記新しいＰＳＣｅｌｌへの変更を示す場合、前記ＲＲＣ再設定メッセージは、前記新しいＰＳＣｅｌｌの指示、前記ＰＳＣｅｌｌから前記新しいＰＳＣｅｌｌへの変更の指示、前記ＰＳＣｅｌｌの解除及び前記新しいＰＳＣｅｌｌの追加の指示、前記新しいＰＳＣｅｌｌの追加の指示、新しいＰＳＣｅｌｌとして用いられるＳＣｅｌｌの指示、前記新しいＰＳＣｅｌｌが変更されるセカンダリ基地局の指示の少なくとも一つを含む方法である。
【００１２】
好ましくは、前記セカンダリ基地局内の前記一つ以上のＳＣｅｌｌを非活性化する時、前記セカンダリ基地局内のＳＣｅｌｌに対するＳＣｅｌｌ非活性タイマーを止めるステップをさらに含む。
【００１３】
好ましくは、前記マスター基地局内の一つ以上のＳＣｅｌｌは活性化又は非活性化状態が変更されない。
【００１４】
上述した一般的な説明と次の本発明の詳細な説明は、例示的で且つ説明するためのものであって、本発明の追加の説明を提供するためのものと意図されることを理解しなければならない。
【発明の効果】
【００１５】
本発明によれば、無線通信システムにおいて、ＳＣＧ変更手順の間にＳＣｅｌｌを非活性化することを効果的に行うことができる。特に、本発明は、二重接続システムにおいてＳＣＧ変更手順の間にＳＣｅｌｌを非活性化する方法を提供する。
【００１６】
本発明から得られる効果は、以上で言及した効果に制限されず、言及していない他の効果は、添付の図面と共に説明される以下の記載から、本発明の属する技術の分野における通常の知識を有する者にとっては明らかになるであろう。
【図面の簡単な説明】
【００１７】
本明細書に添付する図面は、本発明に関する理解を提供するためのものであり、本発明の様々な実施の形態を示し、明細書の記載と共に本発明の原理を説明するためのものである。
【図１】無線通信システムの一例であり、Ｅ―ＵＭＴＳネットワーク構造を概略的に示す図である。
【図２Ａ】Ｅ―ＵＴＲＡＮ（Ｅｖｏｌｖｅｄ―Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）構造を示すブロック図である。
【図２Ｂ】一般的なＥ―ＵＴＲＡＮとＥＰＣの構造を示すブロック図である。
【図３】３ＧＰＰ無線接続網規格に基づく端末とＥ―ＵＴＲＡＮとの間における無線インタフェースプロトコル（Ｒａｄｉｏ  Ｉｎｔｅｒｆａｃｅ  Ｐｒｏｔｏｃｏｌ）の制御平面（Ｃｏｎｔｒｏｌ  Ｐｌａｎｅ）及びユーザ平面（Ｕｓｅｒ  Ｐｌａｎｅ）の構造を示す図である。
【図４】Ｅ―ＵＭＴＳシステムで用いられる物理チャネル構造の一例を示す図である。
【図５】本発明の実施例に係る通信装置を示すブロック図である。
【図６】搬送波集成を示す図である。
【図７】活性／非活性ＭＡＣ制御要素を示す図である。
【図８】マスターセルグループ（Ｍａｓｔｅｒ  Ｃｅｌｌ  Ｇｒｏｕｐ；ＭＣＧ）と補助セルグループ（Ｓｅｃｏｎｄａｒｙ  Ｃｅｌｌ  Ｇｒｏｕｐ；ＳＣＧ）の間の二重接続性（ｄｕａｌ  ｃｏｎｎｅｃｔｉｖｉｔｙ）の概念図である。
【図９Ａ】二重接続性に関連する基地局の制御平面（Ｃｏｎｔｒｏｌ  Ｐｌａｎｅ；Ｃ−Ｐｌａｎｅ）連結性の概念図、
【図９Ｂ】二重接続性に関連する基地局の使用者平面（Ｕｓｅｒ  Ｐｌａｎｅ；Ｕ−Ｐｌａｎｅ）連結性の概念図である。
【図１０】二重接続性のための無線プロトコル構造の概念図である。
【図１１Ａ】ＳＣＧ変更手順の概念図である。
【図１１Ｂ】ＳＣＧ追加／ＭｅＮＢによるＳＣＧ変更手順を示す概念図である。
【図１２Ａ】ＳｅＮＢ追加手順を示す概念図である。
【図１２Ｂ】ＭｅＮＢで始まったＳｅＮＢ変更手順を示す概念図である。
【図１２Ｃ】ＳｅＮＢで始まったＳｅＮＢ変更手順を示す概念図である。
【図１２Ｄ】ＭｅＮＢで始まったＳｅＮＢ解除手順を示す概念図である。
【図１２Ｅ】ＳｅＮＢで始まったＳｅＮＢ解除手順を示す概念図である。
【図１２Ｆ】ＳｅＮＢ変更手順を示す概念図である。
【図１２Ｇ】ＭｅＮＢのｅＮＢ変更手順を示す概念図である。
【図１３】二重接続性におけるＰＳＣｅｌｌ変更手順を示す概念図である。
【図１４】Ｅ−ＵＴＲＡＮから端末へのＲＲＣ接続再設定メッセージ伝送を示す概念図である。
【図１５】ｍｏｂｉｌｉｔｙＣｏｎｔｒｏｌＩｎｆｏを含むＲＲＣ接続再設定メッセージ受信無しで同一ＳｅＮＢ内で行われるＰＳＣｅｌｌ変更の例示図である。
【図１６】本発明の一実施例に係るＳＣＧ変更手順の間にＳＣＧ  ＳＣｅｌｌを非活性化する方法を示す概念図である。
【発明を実施するための形態】
【００１８】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）は、ヨーロッパシステム、ＧＳＭ（登録商標）（Ｇｌｏｂａｌ  ｓｙｓｔｅｍ  ｆｏｒ  ｍｏｂｉｌｅ  ｃｏｍｍｕｎｉｃａｔｉｏｎ）、及びＧＰＲＳ（Ｇｅｎｅｒａｌ  Ｐａｃｋｅｔ  Ｒａｄｉｏ  Ｓｅｒｖｉｃｅ）に基盤したＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）で動作する３世代（３ｒｄ  Ｇｅｎｅｒａｔｉｏｎ、３Ｇ）非対称移動通信システムである。ＵＭＴＳのＬＴＥ（Ｌｏｎｇ―Ｔｅｒｍ  Ｅｖｏｌｕｔｉｏｎ）は、ＵＭＴＳを規格化する３ＧＰＰによって議論中にある。
【００１９】
３ＧＰＰ  ＬＴＥは、高速パケット通信を可能にする技術である。ユーザ及び提供者の費用を減少させ、サービス品質を改善し、カバレッジ（ｃｏｖｅｒａｇｅ）及びシステム容量を拡張及び改善することを目的とするＬＴＥ課題のための多くの方法が提案された。３Ｇ  ＬＴＥは、上位―レベル要求であって、ビット（ｂｉｔ）当たりの費用減少、増加したサービス可用性、周波数帯域の柔軟性、単純な構造、開放型インタフェース、及び端末の適切な電力消耗を要求する。
【００２０】
以下で、添付の図面を参照して説明した本発明の各実施例により、本発明の構成、作用及び他の特徴が容易に理解され得るだろう。以下で説明する各実施例は、本発明の技術的特徴が３ＧＰＰシステムに適用された各例である。
【００２１】
本明細書は、ＬＴＥシステム及びＬＴＥ―Ａシステムを用いて本発明の各実施例を説明するが、これは例示に過ぎない。したがって、本発明の各実施例は、前記定義に該当するいずれの通信システムにも適用することができる。また、本明細書は、ＦＤＤ方式を基準にして本発明の実施例に対して説明するが、これは例示であって、本発明の実施例は、Ｈ―ＦＤＤ方式又はＴＤＤ方式にも容易に変形して適用することができる。
【００２２】
図２Ａは、Ｅ―ＵＴＲＡＮ（Ｅｖｏｌｖｅｄ―Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）網構造を示すブロック図である。Ｅ―ＵＭＴＳは、ＬＴＥシステムと称することもできる。通信網は、ＩＭＳ及びパケットデータを通じたＶｏＩＰ（Ｖｏｉｃｅ  ｏｖｅｒ  ＩＰ）などの多様なサービスを提供するために広く配置される。
【００２３】
図２Ａに示したように、Ｅ―ＵＭＴＳ網は、Ｅ―ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（Ｅｖｏｌｖｅｄ  Ｐａｃｋｅｔ  Ｃｏｒｅ）、及び一つ以上の端末を含む。Ｅ―ＵＴＲＡＮは、一つ以上のｅＮＢ（ｅｖｏｌｖｅｄ  ＮｏｄｅＢ）２０を含むことができ、複数の端末１０が一つのセルに位置することができる。一つ以上のＥ―ＵＴＲＡＮ  ＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイ３０は、ネットワークの終端に位置し、外部ネットワークに接続することもできる。
【００２４】
本明細書において、「ダウンリンク（ｄｏｗｎｌｉｎｋ）」は、ｅＮＢ２０から端末１０への通信を称し、「アップリンク（ｕｐｌｉｎｋ）」は、端末１０からｅＮＢ２０への通信を称する。端末１０は、ユーザによって運搬される通信装備を称し、また、移動局（Ｍｏｂｉｌｅ  Ｓｔａｔｉｏｎ、ＭＳ）、ユーザ端末（Ｕｓｅｒ  Ｔｅｒｍｉｎａｌ、ＵＴ）、加入者ステーション（Ｓｕｂｓｃｒｉｂｅｒ  Ｓｔａｔｉｏｎ、ＳＳ）又は無線デバイスと称することもできる。
【００２５】
図２Ｂは、一般的なＥ―ＵＴＲＡＮと一般的なＥＰＣの構造を示すブロック図である。
【００２６】
図２Ｂに示したように、ｅＮＢ２０は、ユーザ平面及び制御平面のエンドポイント（ｅｎｄ  ｐｏｉｎｔ）をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インタフェースを介して接続することができる。
【００２７】
ｅＮＢ２０は、一般にＵＥ１０と通信する固定局であって、基地局（ＢＳ）又はアクセスポイント（ａｃｃｅｓｓ  ｐｏｉｎｔ）と称することもある。一つのｅＮＢ２０はセルごとに配置することができる。ユーザトラフィック又は制御トラフィックを送信するためのインタフェースをｅＮＢ２０間で使用することができる。
【００２８】
ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む）遊休モード（ｉｄｌｅ  ｍｏｄｅ）ＵＥ接近性（Ｒｅａｃｈａｂｉｌｉｔｙ）、（遊休モード及び活性モード（ａｃｔｉｖｅ  ｍｏｄｅ）のＵＥのための）トラッキング領域リスト管理、ＰＤＮ  ＧＷ及びサービングＧＷ選択、ＭＭＥ変化が伴うハンドオーバーのためのＭＭＥ選択、２Ｇ又は３Ｇ  ３ＧＰＰ接続ネットワークへのハンドオーバーのためのＳＧＳＮ選択、ローミング、認証、専用ベアラ設定を含むベアラ管理、（ＥＴＷＳ及びＣＭＡＳを含む）ＰＷＳメッセージ送信のためのサポートを含む多様な機能を行う。ＳＡＥゲートウェイホストは、パー―ユーザ（Ｐｅｒ―ｕｓｅｒ）ベースのパケットフィルタリング（例えば、深層パケット検査を使用）、適法なインターセプション（Ｌａｗｆｕｌ  Ｉｎｔｅｒｃｅｐｔｉｏｎ）、ＵＥ  ＩＰアドレス割り当て、ダウンリンクでの送信（Ｔｒａｎｓｐｏｒｔ）レベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００２９】
複数のノードは、ｅＮＢ２０とゲートウェイ３０との間でＳ１インタフェースを介して接続することができる。各ｅＮＢ２０は、Ｘ２インタフェースを介して相互接続することができ、各隣接ｅＮＢは、Ｘ２インタフェースを有するメッシュネットワーク構造（ｍｅｓｈｅｄ  ｎｅｔｗｏｒｋ  ｓｔｒｕｃｔｕｒｅ）を有することができる。
【００３０】
図２Ｂに示したように、ｅＮＢ２０は、ゲートウェイ３０に対する選択、無線リソース制御（Ｒａｄｉｏ  Ｒｅｓｏｕｒｃｅ  Ｃｏｎｔｒｏｌ、ＲＲＣ）活性化の間、ゲートウェイに向かうルーティング、ページングメッセージのスケジューリング及び送信、ブロードキャストチャネル（ＢＣＣＨ）情報のスケジューリング及び送信、アップリンク及びダウンリンクの全てにおける各ＵＥ１０のための動的リソース割り当て、ｅＮＢ測定の構成及び準備、無線ベアラ制御、無線承認制御（Ｒａｄｉｏ  Ａｄｍｉｓｓｉｏｎ  Ｃｏｎｔｒｏｌ、ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション（Ｓｙｓｔｅｍ  Ａｒｃｈｉｔｅｃｔｕｒｅ  Ｅｖｏｌｕｔｉｏｎ、ＳＡＥ）ベアラ制御、及び非―接続層（Ｎｏｎ―Ａｃｃｅｓｓ  Ｓｔｒａｔｕｍ、ＮＡＳ）シグナリングの暗号化及び無欠性保護などの各機能を行うことができる。
【００３１】
ＥＰＣは、移動性管理エンティティ（Ｍｏｂｉｌｉｔｙ  Ｍａｎａｇｅｍｅｎｔ  Ｅｎｔｉｔｙ、ＭＭＥ）、サービング―ゲートウェイ（ｓｅｒｖｉｎｇ―ｇａｔｅｗａｙ、Ｓ―ＧＷ）、及びパケットデータネットワーク―ゲートウェイ（Ｐａｃｋｅｔ  Ｄａｔａ  Ｎｅｔｗｏｒｋ―Ｇａｔｅｗａｙ、ＰＤＮ―ＧＷ）を含む。ＭＭＥは、主に各端末の移動性を管理する目的で用いられる接続及び可用性に対する情報を有する。Ｓ―ＧＷは、Ｅ―ＵＴＲＡＮを終端点として有するゲートウェイであり、ＰＤＮ―ＧＷは、パケットデータネットワーク（ＰＤＮ）を終端点として有するゲートウェイである。
【００３２】
図３は、３ＧＰＰ無線接続網規格を基盤にした端末とＥ―ＵＴＲＡＮとの間の無線インタフェースプロトコルの制御平面及びユーザ平面の構造を示す図である。制御平面は、端末（Ｕｓｅｒ  Ｅｑｕｉｐｍｅｎｔ；ＵＥ）とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００３３】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続されている。前記送信チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、ダウンリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、アップリンクでＳＣ―ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３４】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性のあるデータ送信をサポートする。ＲＬＣ層の機能は、ＭＡＣ内部の機能ブロックで具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インタフェースでＩＰバージョン４（ＩＰ  ｖｅｒｓｉｏｎ  ４、ＩＰｖ４）パケットやＩＰバージョン６（ＩＰｖ６）パケットのようなＩＰ（ｉｎｔｅｒｎｅｔ  ｐｒｏｔｏｃｏｌ）パケットを効率的に送信するために不必要な制御情報を減少させるヘッダー圧縮（Ｈｅａｄｅｒ  Ｃｏｍｐｒｅｓｓｉｏｎ）機能を行う。
【００３５】
第３層の最下部に位置した無線リソース制御（Ｒａｄｉｏ  Ｒｅｓｏｕｒｃｅ  Ｃｏｎｔｒｏｌ；ＲＲＣ）層は、制御平面のみで定義される。ＲＲＣ層は、各無線ベアラ（Ｒａｄｉｏ  Ｂｅａｒｅｒ；ＲＢ）の設定（Ｃｏｎｆｉｇｕｒａｔｉｏｎ）、再設定（Ｒｅ―ｃｏｎｆｉｇｕｒａｔｉｏｎ）及び解除（Ｒｅｌｅａｓｅ）と関連して論理チャネル、送信チャネル及び物理チャネルの制御を担当する。ＲＢは、端末とネットワークとの間のデータ伝達のために第２層によって提供されるサービスを意味する。このために、端末とネットワークのＲＲＣ層は、互いにＲＲＣメッセージを交換する。
【００３６】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域でダウンリンク又はアップリンク送信サービスを提供するように設定することができる。異なる各セルは、異なる各帯域を提供するように設定することもできる。
【００３７】
Ｅ―ＵＴＲＡＮから端末への送信のためのダウンリンク送信チャネル（Ｄｏｗｎｌｉｎｋ  ｔｒａｎｓｐｏｒｔ  Ｃｈａｎｎｅｌ）は、システム情報を送信するＢＣＨ（Ｂｒｏａｄｃａｓｔ  Ｃｈａｎｎｅｌ）、各ページングメッセージを送信するＰＣＨ（Ｐａｇｉｎｇ  Ｃｈａｎｎｅｌ）、及びユーザトラフィック又は各制御メッセージを送信するためのダウンリンク共有チャネル（Ｓｈａｒｅｄ  Ｃｈａｎｎｅｌ、ＳＣＨ）を含む。ダウンリンクマルチキャスト又はブロードキャストサービスのトラフィック又は制御メッセージの場合、ダウンリンクＳＣＨを介して送信することもでき、又は別途のダウンリンクＭＣＨ（Ｍｕｌｔｉｃａｓｔ  Ｃｈａｎｎｅｌ）を介して送信することもできる。
【００３８】
端末からネットワークにデータを送信するアップリンク送信チャネルとしては、初期制御メッセージを送信するＲＡＣＨ（Ｒａｎｄｏｍ  Ａｃｃｅｓｓ  Ｃｈａｎｎｅｌ）と、その他にユーザトラフィックや制御メッセージを送信するアップリンクＳＣＨ（Ｓｈａｒｅｄ  Ｃｈａｎｎｅｌ）とがある。送信チャネルの上位にあり、送信チャネルにマップされる論理チャネルとしては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃｈａｎｎｅｌ）などがある。
【００３９】
図４は、Ｅ―ＵＭＴＳシステムで使用する物理チャネル構造の一例を示した図である。物理チャネルは、時間軸上にある多数のサブフレームと、周波数軸上にある多数のサブキャリア（Ｓｕｂ―ｃａｒｒｉｅｒ）とで構成される。ここで、一つのサブフレーム（Ｓｕｂ―ｆｒａｍｅ）は、時間軸上に複数のシンボル（Ｓｙｍｂｏｌ）で構成される。一つのサブフレームは、複数のリソースブロック（Ｒｅｓｏｕｒｃｅ  Ｂｌｏｃｋ）で構成され、一つのリソースブロックは、複数のシンボル及び複数のサブキャリアで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、すなわち、Ｌ１／Ｌ２制御チャネルのために該当のサブフレームの特定シンボル（例えば、１番目のシンボル）の特定サブキャリアを用いることができる。図４には、Ｌ１／Ｌ２制御情報送信領域（ＰＤＣＣＨ）とデータ領域（ＰＤＳＣＨ）を示した。一実施例において、１０ｍｓの無線フレーム（ｒａｄｉｏ  ｆｒａｍｅ）が使用され、一つの無線フレームは１０個のサブフレーム（ｓｕｂｆｒａｍｅ）で構成される。また、一つのサブフレームは二つの連続するスロットで構成される。一つのスロットの長さは０．５ｍｓである。また、一つのサブフレームは多数のＯＦＤＭシンボルで構成され、多数のＯＦＤＭシンボルのうち一部のシンボル（例えば、１番目のシンボル）は、Ｌ１／Ｌ２制御情報を送信するために使用することができる。データ送信のための時間単位である送信時間間隔（Ｔｒａｎｓｍｉｓｓｉｏｎ  Ｔｉｍｅ  Ｉｎｔｅｒｖａｌ、ＴＴＩ）は１ｍｓである。
【００４０】
基地局と端末は、一般に特定制御信号又は特定サービスデータを除いては、送信チャネルであるＤＬ―ＳＣＨを用いる物理チャネルであるＰＤＳＣＨを介してデータを送信／受信する。ＰＤＳＣＨのデータがいずれの端末（一つ又は複数の端末）に送信されるもので、前記各端末がどのようにＰＤＳＣＨデータを受信してデコード（ｄｅｃｏｄｉｎｇ）しなければならないのかに対する情報などは、ＰＤＣＣＨに含まれて送信される。
【００４１】
例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスク（ｍａｓｋｉｎｇ）されており、「Ｂ」という無線リソース（例えば、周波数位置）及び「Ｃ」という送信形式情報（例えば、送信ブロックサイズ、変調方式、コーディング情報など）を用いて送信されるデータに関する情報が特定サブフレームを通じて送信されると仮定する。この場合、セル内の端末は、自身が有しているＲＮＴＩ情報を用いてＰＤＣＣＨをモニタし、「Ａ」ＲＮＴＩを有している一つ以上の端末があると、前記各端末はＰＤＣＣＨを受信し、受信したＰＤＣＣＨの情報を通じて「Ｂ」と「Ｃ」によって指示されるＰＤＳＣＨを受信する。
【００４２】
図５は、本発明の実施例に係る通信装置のブロック図である。
【００４３】
図５に示された装置は、上述したメカニズムを行うように適応されたユーザ装置（Ｕｓｅｒ  Ｅｑｕｉｐｍｅｎｔ、ＵＥ）及び／又はｅＮＢであってもよいが、同じ作業を行う任意の装置であってもよい。
【００４４】
図５に示したように、装置は、ＤＳＰ（Ｄｉｇｉｔａｌ  Ｓｉｇｎａｌ  Ｐｒｏｃｅｓｓｏｒ）／マイクロプロセッサ１１０及びＲＦ（Ｒａｄｉｏ  Ｆｒｅｑｕｅｎｃｙ）モジュール（送受信機；１３５）を含むこともできる。ＤＳＰ／マイクロプロセッサ１１０は、送受信機１３５に電気的に接続されて送受信機１３５を制御する。装置は、設計者の選択によって、電力管理モジュール１０５、バッテリ１５５、ディスプレイ１１５、キーパッド１２０、ＳＩＭカード１２５、メモリデバイス１３０、スピーカー１４５及び入力デバイス１５０をさらに含むこともできる。
【００４５】
特に、図５は、ネットワークから要求メッセージを受信するように構成された受信機１３５、及びネットワークに送／受信タイミング情報を送信するように構成された送信機１３５を含む端末を示してもよい。このような受信機と送信機は送受信機１３５を構成できる。端末は、送受信機（受信機及び送信機、１３５）に接続されたプロセッサ１１０をさらに含むこともできる。
【００４６】
また、図５は、端末に要求メッセージを送信するように構成された送信機１３５、及び端末から送受信タイミング情報を受信するように構成された受信機１３５を含むネットワーク装置を示してもよい。送信機及び受信機は送受信機１３５を構成することもできる。ネットワークは、送信機及び受信機に接続されたプロセッサ１１０をさらに含む。このプロセッサ１１０は、送受信タイミング情報に基づいて遅延（ｌａｔｅｎｃｙ）を計算することもできる。
【００４７】
図６は搬送波集成（ｃａｒｒｉｅｒ ａｇｇｒｅｇａｔｉｏｎ）を示す図である。
【００４８】
図６を参照して多重搬送波を支援する搬送波集成技術について説明する。前述したように、搬送波集成によって既存の無線通信システム（例えば、ＬＴＥシステム）で定義される帯域幅単位（例えば、２０ＭＨｚ）の搬送波（構成搬送波、ＣＣ）を最大５個束ねて最大１００ＭＨｚまでのシステム帯域幅を支援することができる。搬送波集成に用いられる構成搬送波の帯域幅の大きさは互いに同一であっても異なってもよい。また、それぞれの構成搬送波は異なった周波数帯域（又は中心周波数）を有する。また、それぞれの構成搬送波は連続的な周波数帯域上に存在することもできるが、不連続的な周波数帯域上に存在する構成搬送波を搬送波集成に用いることもできる。また、搬送波集成技術において、上りリンクと下りリンクの帯域幅大きさが対称的に割り当てられることも、非対称的に割り当てられることもできる。
【００４９】
搬送波集成に用いられる多重搬送波（構成搬送波）は主構成搬送波（Ｐｒｉｍａｒｙ Ｃｏｍｐｏｎｅｎｔ Ｃａｒｒｉｅｒ；ＰＣＣ）及び補助構成搬送波（Ｓｅｃｏｎｄａｒｙ Ｃｏｍｐｏｎｅｎｔ Ｃａｒｒｉｅｒ；ＳＣＣ）に分類できる。ＰＣＣはＰセル（ＰＣｅｌｌ；Ｐｒｉｍａｒｙ Ｃｅｌｌ）と言うこともでき、ＳＣＣはＳセル（ＳＣｅｌｌ；Ｓｅｃｏｎｄａｒｙ Ｃｅｌｌ）と言うこともできる。主構成搬送波は、基地局が端末とトラフィック及び制御シグナリングを交換するために用いる搬送波である。制御シグナリングには、構成搬送波の付加、主構成搬送波に対する設定、上りリンクグラント（ＵＬ ｇｒａｎｔ）又は下りリンク割当て（ＤＬ ａｓｓｉｇｎｍｅｎｔ）などを含むことができる。基地局で複数の構成搬送波が用いることができるが、その基地局に属する端末は一つの主構成搬送波のみを有するものに設定されることもできる。端末が単一搬送波モードで動作する場合には主構成搬送波が用いられる。よって、主構成搬送波は独立的にも用いられるように基地局と端末の間のデータ及び制御シグナリングの交換に必要な全ての要求事項を満たすように設定されなければならない。
【００５０】
一方、補助構成搬送波は送受信されるデータ要求量などによって活性化するかあるいは非活性化することができる付加的な構成搬送波である。補助構成搬送波は基地局から受信される特定の命令及び規則に従ってのみ使われるように設定されることもできる。また、補助構成搬送波は付加的な帯域幅を支援するために主構成搬送波と一緒に用いられるように設定されることもできる。活性化した補助構成搬送波を介して、基地局から端末に上りリンクグラント又は下りリンク割当てのような制御信号が受信されることができ、端末から基地局にチャネル品質指示子（Ｃｈａｎｎｅｌ Ｑｕａｌｉｔｙ Ｉｎｄｉｃａｔｏｒ；ＣＱＩ）、プレコーディング行列指示子（Ｐｒｅｃｏｄｉｎｇ Ｍａｔｒｉｘ Ｉｎｄｅｘ；ＰＭＩ）、ランク指示者（Ｒａｎｋ Ｉｎｄｉｃａｔｏｒ；ＲＩ）、サウンディング参照信号（Ｓｏｕｎｄｉｎｇ Ｒｅｆｅｒｅｎｃｅ Ｓｉｇｎａｌ；ＳＲＳ）などの上りリンクを介した制御信号が送信されることができる。
【００５１】
端末に対するリソース割当ては主構成搬送波及び複数の補助構成搬送波の範囲を有することができる。多重搬送波集成モードにおいて、システムはシステム負荷（つまり、静的／動的負荷バランシング）、ピークデータレート、又はサービス品質要求に基づいて、下りリンク及び／又は上りリンクに非対称的に補助構成搬送波を端末に割り当てることもできる。搬送波集成技術を用いるに際して、構成搬送波に対する設定はＲＲＣ連結手順（ＲＲＣ ｃｏｎｎｅｃｔｉｏｎ ｐｒｏｃｅｄｕｒｅ）以後に基地局から端末に提供される。ＲＲＣ連結は、ＳＲＢを介して端末のＲＲＣ階層とネットワークの間で交換されるＲＲＣシグナリングに基づいて端末に無線リソースが割り当てられることを意味する。端末と基地局のＲＲＣ連結手順の後に、端末は基地局から主構成搬送波及び補助構成搬送波に対する設定情報を受けることができる。補助構成搬送波に対する設定情報は補助構成搬送波の付加／削除（又は活性化／非活性化）を含むことができる。したがって、基地局と端末の間に補助構成搬送波を活性化させるか既存の補助構成搬送波を非活性化させるためには、ＲＲＣシグナリング及びＭＡＣ制御要素（ＭＡＣ Ｃｏｎｔｒｏｌ Ｅｌｅｍｅｎｔ）の交換を遂行する必要がある。
【００５２】
補助構成搬送波の活性化又は非活性化は、サービス品質（ＱｏＳ）、搬送波の負荷条件及び他の要因に基づいて基地局によって決定されることができる。基地局は、下りリンク／上りリンクに対する指示類型（活性化／非活性化）及び補助構成搬送波リストなどの情報を含む制御メッセージを用いて端末に補助構成搬送波設定を指示することができる。
【００５３】
図７は、活性化／非活性化ＭＡＣ制御要素を示す図である。
【００５４】
端末に一つ以上のＳＣｅｌｌが設定されると、ネットワークは、設定されたＳＣｅｌｌを活性化及び非活性化することができる。ＰＣｅｌｌは常に活性化される。ネットワークは活性化／非活性化ＭＡＣ制御要素を送信することによって、ＳＣｅｌｌを活性化及び非活性化する。また、端末は、設定されたＳＣｅｌｌごとにｓＣｅｌｌＤｅａｃｔｉｖａｔｉｏｎＴｉｍｅｒタイマーを維持し、満了時に関連ＳＣｅｌｌを非活性化する。同一の初期タイマー値がｓＣｅｌｌＤｅａｃｔｉｖａｔｉｏｎＴｉｍｅｒの各インスタンスに適用され、ＲＲＣによって設定される。設定されたＳＣｅｌｌは、追加及びハンドオーバー後に初期に非活性化される。
【００５５】
端末は、それぞれのＴＴＩに各ＳＣｅｌｌを設定する。端末がＳＣｅｌｌを活性化させるこのＴＴＩで活性化／非活性化ＭＡＣ制御要素を受信すると、端末は当該ＴＴＩでＳＣｅｌｌを活性化させることができる。端末はＳＣｅｌｌ上のＳＲＳ伝送、ＳＣｅｌｌに対するＣＱＩ／ＰＭＩ／ＲＩ／ＰＴＩの報告、ＳＣｅｌｌ上でのＰＤＣＣＨモニタリング、又はＳＣｅｌｌに対するＰＤＣＣＨモニタリングを含む一般的なＳＣｅｌｌ動作を適用することができる。また、端末はＳＣｅｌｌと関連したｓＣｅｌｌＤｅａｃｔｉｖａｔｉｏｎＴｉｍｅｒを起動又は再起動することができ、ＰＨＲをトリガーすることができる。
【００５６】
端末がＳＣｅｌｌを非活性化するこのＴＴＩで活性化／非活性化ＭＡＣ制御要素を受信したり、又は活性化されたＳＣｅｌｌと関連したｓＣｅｌｌＤｅａｃｔｉｖａｔｉｏｎＴｉｍｅｒがこのＴＴＩで満了する場合、端末は当該ＴＴＩでＳＣｅｌｌを非活性化させ、当該ＳＣｅｌｌと関連したｓＣｅｌｌＤｅａｃｔｉｖａｔｉｏｎＴｉｍｅｒを中止し、上記ＳＣｅｌｌと関連した全ＨＡＲＱバッファをフラッシュ（ｆｌｕｓｈ）する。
【００５７】
活性化されたＳＣｅｌｌ上のＰＤＣＣＨが上りリンクグラント又は下りリンク割り当てを指示したり、又は活性化されたＳＣｅｌｌをスケジューリングするサービングセルのＰＤＣＣＨが、活性化されたＳＣｅｌｌに対する上りリンクグラント又は下りリンク割り当てを指示すると、端末はＳＣｅｌｌと関連したｓＣｅｌｌＤｅａｃｔｉｖａｔｉｏｎＴｉｍｅｒを再起動することができる。
【００５８】
ＳＣｅｌｌが非活性化されると、端末はＳＣｅｌｌ上でＳＲＳを送信したり、ＳＣｅｌｌ上でＵＬ−ＳＣＨを介して送信したり、ＳＣｅｌｌ上でＲＡＣＨを介して送信したり、ＳＣｅｌｌ上でＰＤＣＣＨをモニタリングしたり、ＳＣｅｌｌに対するＰＤＣＣＨをモニタリングしたりしないだろう。
【００５９】
活性化／非活性化ＭＡＣ制御要素を含むＭＡＣ  ＰＤＵに対するＨＡＲＱフィードバックは、ＳＣｅｌｌ活性化／非活性化によってＰＣｅｌｌインタラプトに影響を受けなくて済む。
【００６０】
活性化／非活性化ＭＡＣ制御要素は、表１に指定されたＬＣＩＤを有するＭＡＣ  ＰＤＵサブヘッダーによって識別される。固定されたサイズを有し、７個のＣフィールドと１個のＲフィールドを含む単一オクテットで構成される。活性化／非活性化ＭＡＣ制御要素は、図７のように定義される。
【００６１】
【表１】
2017528954.tif 000003
Ｃｉフィールドは、ＳＣｅｌｌインデックスｉに設定されたＳＣｅｌｌがある場合、ＳＣｅｌｌインデックスｉを有するＳＣｅｌｌの活性化／非活性化状態を示す。そうでない場合、端末はＣｉフィールドを無視すればよい。Ｃｉフィールドが“１”に設定されると、ＳＣｅｌｌインデックスｉを有するＳＣｅｌｌが活性化されることを示す。Ｃｉフィールドが“０”に設定さると、ＳＣｅｌｌインデックスｉを有するＳＣｅｌｌが非活性化されることを示す。
【００６２】
Ｒフィールドは予約ビットであって、“０”に設定される。
【００６３】
図８はマスターセルグループ（Ｍａｓｔｅｒ Ｃｅｌｌ Ｇｒｏｕｐ、ＭＣＧ）と補助セルグループ（Ｓｅｃｏｎｄａｒｙ Ｃｅｌｌ Ｇｒｏｕｐ、ＳＣＧ）の間の二重接続性（ｄｕａｌ ｃｏｎｎｅｃｔｉｖｉｔｙ）に対する概念図である。
【００６４】
二重接続性（ｄｕａｌ ｃｏｎｎｅｃｔｉｖｉｔｙ）は端末がマスターｅＮＢ（ＭｅＮＢ）と補助ｅＮＢ（ＳｅＮＢ）に同時に連結されることができることを意味する。ＭＣＧはＭｅＮＢと関連するサービングセルのグループであって、ＰＣｅｌｌに加えて選択的に一つ以上のＳＣｅｌｌを含む。またＳＣＧはＳｅＮＢと関連するサービングセルのグループであって、特別（ｓｐｅｃｉａｌ）ＳＣｅｌｌに加えて選択的に一つ以上のＳＣｅｌｌを含む。ＭｅＮＢは少なくともＳ１−ＭＭＥ（制御平面のためのＳ１）を縦断するｅＮＢであり、ＳｅＮＢはＭｅＮＢではないが、端末のための付加的な無線リソースを提供するｅＮＢである。
【００６５】
二重接続性によって、ハンドオーバー（ｈａｎｄｏｖｅｒ）可能性を低めるためにＭＣＧ内のスケジューリング無線ベアラー（Ｓｃｈｅｄｕｌｉｎｇ Ｒａｄｉｏ Ｂｅａｒｅｒ、ＳＲＢ）又は他のＤＲＢを維持するとともに高処理量を提供するために、一部のデータ無線ベアラー（Ｄａｔａ Ｒａｄｉｏ Ｂｅａｒｅｒ、ＤＲＢ）はＳＣＧにオフロード（ｏｆｆｌｏａｄ）されることができる。ＭＣＧは周波数ｆ１を介してＭｅＮＢによって作動し、ＳＣＧは周波数ｆ２を介してＳｅＮＢによって作動する。周波数ｆ１及びｆ２は同一であり得る。ＭｅＮＢとＳｅＮＢの間のバックホール（ｂａｃｋｈａｕｌ）インターフェースは（例えば、Ｘ２インターフェース）、バックホールに相当な遅延があって一つのノードでの中央化したスケジューリングができないため、非理想的である。
【００６６】
図９Ａは二重接続性に関連する基地局の制御平面（Ｃｏｎｔｒｏｌ Ｐｌａｎｅ、Ｃ−Ｐｌａｎｅ）連結性の概念図、図９Ｂは二重接続性に関連する基地局の使用者平面（Ｕｓｅｒ Ｐｌａｎｅ、Ｕ−Ｐｌａｎｅ）連結性の概念図である。
【００６７】
図９Ａは特定端末に対する二重接続性に関与する基地局の制御平面（Ｃｏｎｔｒｏｌ Ｐｌａｎｅ、Ｃ−Ｐｌａｎｅ）連結性を示す。ＭｅＮＢはＳ１−ＭＭＥに連結された制御平面であり、ＭｅＮＢとＳｅＮＢはＸ２−Ｃ（Ｘ２−制御平面）を介して互いに連結される。図９Ａのように、二重接続性のための基地局間（Ｉｎｔｅｒ−ｅＮＢ）制御平面シグナリングがＸ２インターフェースシグナリングによって遂行される。ＭＭＥへの制御平面シグナリングはＳ１インターフェースシグナリングによって遂行される。ＭｅＮＢとＭＭＥの間に端末当たりただ一つのＳ１−ＭＭＥ連結が存在する。それぞれの基地局は、例えばＳＣＧに対するＳＣｅｌｌ（Ｓｅｃｏｎｄａｒｙ Ｃｅｌｌ）を他の端末に提供する間に一部の端末にはＰＣｅｌｌ（Ｐｒｉｍａｒｙ Ｃｅｌｌ）を提供することのように、端末を独立的に取り扱わなければならない。特定の端末に対する二重接続性に関連するそれぞれの基地局は自分の無線リソースを有し、自分のセルの無線リソースを割り当てること及びＸ２インターフェースシグナリングによって行われるＭｅＮＢとＳｅＮＢ間のそれぞれの調整に対して主に責任がある。
【００６８】
図９Ｂは特定端末に対する二重接続性に関連する基地局の使用者平面（Ｕｓｅｒ Ｐｌａｎｅ、Ｕ−Ｐｌａｎｅ）連結性を示す。使用者平面連結性は次のようにベアラーオプション設定による：ｉ）ＭＣＧベアラーにおいて、ＭｅＮＢはＳ１−Ｕを介してＳ−ＧＷに使用者平面連結され、ii）分割ベアラーにおいて、ＭｅＮＢはＳ１−Ｕを介してＳ−ＧＷに使用者平面連結され、さらにＭｅＮＢとＳｅＮＢはＸ２−Ｕを介して互いに連結され、iii）ＳＣＧベアラーにおいて、ＳｅＮＢはＳ１−Ｕを介してＳ−ＧＷと直接連結される。ＭＣＧ及び分離ベアラーのみが設定された場合、ＳｅＮＢにはＳ１−Ｕ縦断が存在しない。二重接続性において、マクロセルのグループからスモールセルのグループへのデータオフロード（ｏｆｆｌｏａｄ）のためにスモールセルの改善が要求される。スモールセルはマクロセルから離れて配置されることができるため、端末の観点で複数のスケジューラが互いに異なるノードに分離されて位置し、独立的に動作する。これは、異なったスケジューリングノードが異なった無線リソース環境と出会うことを意味し、それぞれのスケジューリングノードが異なったスケジューリング結果を有することができることを意味する。
【００６９】
図１０は二重接続性のための無線プロトコル構造の概念図である。
【００７０】
本実施例のＥ−ＵＴＲＡＮは、Ｘ２インターフェース上の非理想的バックホール（ｂａｃｋｈａｕｌ）を介して連結された２個の基地局に位置し、２個の別個のスケジューラ（ｓｃｈｅｄｕｌｅｒ）によって提供された無線リソースを活用するように構成されたＲＲＣ連結（ＲＲＣ＿ＣＯＮＮＥＣＴＥＤ）状態の複数の受信／送信（Ｒｘ／Ｔｘ）端末によって二重接続性（Ｄｕａｌ ｃｏｎｎｅｃｔｉｖｉｔｙ、ＤＣ）動作を支援することができる。特定の端末に対する二重接続性に関連する基地局は２種の異なった役目を取ることもできる：基地局はＭｅＮＢ又はＳｅＮＢとして行動することもできる。二重接続性において、端末は一つのＭｅＮＢ及び一つのＳｅＮＢに連結されることができる。
【００７１】
二重接続性（ＤＣ）動作において、特定のベアラー（ｂｅａｒｅｒ）が用いる無線プロトコル構造はベアラーがどのように設定されたかによる。三つの代案として、ＭＣＧ（Ｍａｓｔｅｒ Ｃｅｌｌ Ｇｒｏｕｐ）ベアラー１００１、分割ベアラー（ｓｐｌｉｔ ｂｅａｒｅｒ）１０３及びＳＣＧ（Ｓｅｃｏｎｄａｒｙ Ｃｅｌｌ Ｇｒｏｕｐ）ベアラー１００５が存在する。三つの代案は図９に図示されている。ＳＲＢ（Ｓｉｇｎａｌｉｎｇ Ｒａｄｉｏ Ｂｅａｒｅｒ）はいつもＭＣＧベアラーでなり、ＭｅＮＢによって提供される無線リソースのみを用いる。ＭＣＧ（Ｍａｓｔｅｒ Ｃｅｌｌ Ｇｒｏｕｐ）ベアラー１００１は二重接続性でのみＭｅＮＢリソースを用いるためにＭｅＮＢにのみ位置する無線プロトコルである。また、ＳＣＧ（Ｓｅｃｏｎｄａｒｙ Ｃｅｌｌ Ｇｒｏｕｐ）ベアラー１００５は二重接続性でＳｅＮＢリソースを用いるためにＳｅＮＢにのみ位置する無線プロトコルである。
【００７２】
特に、分割（ｓｐｌｉｔ）ベアラー１００３は二重接続性でＭｅＮＢ及びＳｅＮＢリソースの両者を用いるためにＭｅＮＢ及びＳｅＮＢの両者に位置する無線プロトコルであり、分割ベアラー１００３は一方向（ｄｉｒｅｃｔｉｏｎ）に対する単一ＰＤＣＰ（Ｐａｃｋｅｔ Ｄａｔａ Ｃｏｎｖｅｒｇｅｎｃｅ Ｐｒｏｔｏｃｏｌ）エンティティ、２個のＲＬＣ（Ｒａｄｉｏ Ｌｉｎｋ Ｃｏｎｔｒｏｌ）エンティティ及び２個のＭＡＣ（Ｍｅｄｉｕｍ Ａｃｃｅｓｓ Ｃｏｎｔｒｏｌ）エンティティを含む無線ベアラーであり得る。特に、二重接続性動作はＳｅＮＢによって提供された無線リソースを用いるように設定された少なくとも一つのベアラーを有するものとしても説明されることができる。
【００７３】
図１１Ａは、ＳＣＧ変更手順を示す図であり、図１１Ｂは、ＳＣＧ追加／ＭｅＮＢでトリガーされたＳＣＧ変更手順を示す図である。
【００７４】
１．  ＳＣＧ修正
ＳＣＧ変更手順は、ＳｅＮＢによって開始され、同じＳｅＮＢ内でＳＣＧの設定変更を行うために用いられる。図１１ＡにはＳＣＧ変更手順を示す。
【００７５】
図１１Ａと関連して、ＳｅＮＢは、適切なＸ２ＡＰメッセージによって搬送されるＳＣＧ設定においてＳＣＧの新しい無線リソース設定を提供することによってＳＣＧ変更を要求する（Ｓ１１０１ａ）。
【００７６】
ＭｅＮＢは、ＳｅＮＢ要求を受諾する場合、ＳＣＧ設定によって、ＳＣＧの新しい無線リソース構成を含むＲＲＣ接続再設定メッセージ（ＲＲＣＣｏｎｎｅｃｔｉｏｎＲｅｃｏｎｆｉｇｕｒａｔｉｏｎ）を端末に送信する（Ｓ１１０３ａ）。
【００７７】
端末は、新しい設定を適用し、ＲＲＣ接続再設定完了メッセージ（ＲＲＣＣｏｎｎｅｃｔｉｏｎＲｅｃｏｎｆｉｇｕｒａｔｉｏｎＣｏｍｐｌｅｔｅ）を返す。ＳｅＮＢに対する同期化が新しい設定のために要求されないと、端末は新しい設定を適用した後にＵＬ伝送を行うことができる（Ｓ１１０５ａ）。ＭｅＮＢは、適切なＸ２ＡＰメッセージでＩｎｔｅｒ−ｅＮＢ−ＲＲＣ−ｍｅｓｓａｇｅ−Ｙメッセージを伝達するＳｅＮＢにＳＣＧ変更応答を返す（Ｓ１１０７ａ）。
【００７８】
新しい設定がＳｅＮＢに対する同期化を要求すると、端末はランダムアクセス手順を行う（Ｓ１１０９ａ）。
【００７９】
端末がＲＲＣ接続再設定メッセージに含まれた設定（の一部）に従うことができない場合、端末は再設定失敗手順を行う。
【００８０】
端末がＲＲＣ接続再設定完了メッセージを送信し、ＳＣＧに対してランダムアクセス手順を行う順序は定義されない。ＳＣＧに対する成功したＲＡ手順は、ＲＲＣ接続再設定手順の成功的な完了のために要求されない。
【００８１】
ＳＣＧ内のＰＳＣｅｌｌは、ＳＣＧ変更手順で変更することができる。ＳｅＮＢは、例えば旧ＰＳＣｅｌｌと新ＰＳＣｅｌｌが同じＴＡＧに属するか否かによって、ランダムアクセス手順が必要であるか否かを決定することができる。
【００８２】
ＳｅＮＢはＳＣＣ変更手順を用いてＰＳＣｅｌｌ以外のＳＣＧ  ＳＣｅｌｌの解除をトリガーすることができ、ＭｅＮＢは拒否することができない。しかし、ＳｅＮＢは、この手順を用いてＳＣＧ  ＳＣｅｌｌの追加をトリガーすることができない。すなわち、ＳＣＧ  ＳＣｅｌｌ追加は常にＭｅＮＢによって開始される。
【００８３】
ＳｅＮＢは分割ベアラーのＳＣＧベアラー又はＳＣＧ部分の解除をトリガーすることができ、ＭｅＮＢは、ベアラーを解除したり、ベアラーをＭＣＧベアラーに再設定することができる。その具体的な内容は、後でさらに論議される予定である。それは、例えば、ＳｅＮＢが直ちに解除をトリガーできるか否か、又はＳｅＮＢがＭｅＮＢにトリガーを送り、続いてＭｅＮＢがトリガーＳＣＧ修正を送信するか否かである。
【００８４】
２．  ＳＣＧ追加／ＭｅＮＢトリガーＳＣＧ修正
ＳＣＧ追加手順はＭｅＮＢによって始まり、ＳＣＧの第１セルを追加するために用いられる。ＭｅＮＢトリガーＳＣＧ変更手順はＭｅＮＢによって始まる。図１１Ｂに、ＳＣＧ追加／ＭｅＮＢトリガーＳＣＧ変更手順を示す。ＭｅＮＢはこの手順を用いてＳＣＧセル、及びＳＣＧベアラー又はＳＣＧの分割ベアラーの追加又は解除を開始することができる。全ＳＣＧの解除以外の全てのＳＣＧ修正に対して、ＳｅＮＢは端末に対するシグナリングを生成する。ＭｅＮＢは特定セルをＳｅＮＢに追加するように要求することができ、ＳｅＮＢは拒否することができる。変更手順を用いてＭｅＮＢはＰＳＣｅｌｌ以外のＳＣＧ  ＳＣｅｌｌの解除をトリガーすることができ、この場合、ＳｅＮＢは拒否することができない。
【００８５】
ＭｅＮＢは適切なＸ２ＡＰメッセージ内で、ＳｅＮＢによる再設定の基礎となる端末性能コーディネーションのための全端末性能及びＭＣＧ設定を含むＳＣＧ−ＣｏｎｆｉｇＩｎｆｏを送信する。ＳＣＧ追加及びＳＣＧ  ＳＣｅｌｌ追加要求の場合、ＭｅＮＢは、追加要求されたＳＣＧセル及びＳＣＧサービングセルに対する最後の測定結果を提供することができる。ＳｅＮＢは要求を拒絶することができる（Ｓ１１０１ｂ）。
【００８６】
ＳｅＮＢがＭｅＮＢ要求を受諾すると、ＳｅＮＢはＳＣＧ変更手順を開始する（Ｓ１１０３ｂ）。
【００８７】
３．  ＳＣＧ変更
ＳＣＧ変更手順は、設定されたＳＣＧを一つのＳｅＮＢから端末の他のＳｅＮＢ（又は同じＳｅＮＢ）に変更するために用いられる。対象ＳｅＮＢに対して、ＭｅＮＢはＳＣＧ変更手順を開始する。ＭｅＮＢは端末へのＲＲＣＣｏｎｎｅｃｔｉｏｎＲｅｃｏｎｆｉｇｕｒａｔｉｏｎメッセージに、端末が以前のＳＣＧ設定を解除し、新しいＳＣＧ設定を追加することを指示する。同じＳｅＮＢ内でのＳＣＧ変更であれば、経路切替が抑制され得る。
【００８８】
４．  ＳＣＧ解除
ＳＣＧ解除手順はＳｅＮＢでＣＧを解除するために用いられる。ＳＣＧ解除手順は、基地局間ＲＲＣメッセージの伝送を伴わない特定Ｘ２ＡＰ手順によって実現される。ＭｅＮＢはＳｅＮＢにＳＣＧを解除するように要求することもでき、その逆の場合も可能である。この要求の受信ノードは拒絶することができない。結果的に、ＭｅＮＢは端末へのＲＲＣＣｏｎｎｅｃｔｉｏｎＲｅｃｏｎｆｉｇｕｒａｔｉｏｎメッセージに、端末が全ＳＣＧ設定を解除しなければならないことを示す。
【００８９】
５．  ＭｅＮＢとｅＮＢ間のハンドオーバー中にＳＣＧ解除
ＭｅＮＢの変更を伴うハンドオーバー時に、ソースＭｅＮＢはハンドオーバー準備情報（ＨａｎｄｏｖｅｒＰｒｅｐａｒａｔｉｏｎＩｎｆｏｒｍａｔｉｏｎ）にＳＣＧ設定を含める。ソースＭｅＮＢはＳｅＮＢに対して解除を開始し、対象ｅＮＢは、ハンドオーバーをトリガーし、端末が全ＳＣＧ設定を解除することを示すフィールドを生成／包含する移動性制御情報（ｍｏｂｉｌｉｔｙＣｏｎｔｒｏｌＩｎｆｏｒｍａｔｉｏｎ）を含むＲＲＣ接続再設定メッセージを準備する。
【００９０】
ＭｅＮＢ内ハンドオーバーの場合、ＭｅＮＢは、移動性制御情報を含むＲＲＣ接続再設定メッセージでＳＣＧ変更を示すことができる。しかし、ｅＮＢ間ハンドオーバー時には、ＳＣＧの追加はハンドオーバー完了後にのみ開始され得ると仮定する。端末はハンドオーバーがＭｅＮＢ間ハンドオーバーか或いはＭｅＮＢ内ハンドオーバーかが認知できない。
【００９１】
６．  ＳｅＮＢ端末情報
ＳｅＮＢは特定ＵＥと関連してＭｅＮＢに情報を提供することができ、ＭｅＮＢはこの情報を用いて、例えば、ＳＣＧにおいてＳＣＧベアラー又は分割ベアラーの解除を開始する。
【００９２】
図１２ＡはＳｅＮＢ追加手順を示す図、図１２ＢはＭｅＮＢで始まったＳｅＮＢ変更手順を示す図、図１２ＣはＳｅＮＢで始まったＳｅＮＢ変更手順を示す図、図１２ＤはＭｅＮＢで始まったＳｅＮＢ解除手順を示す図、図１２ＥはＳｅＮＢで始まったＳｅＮＢ解除手順を示す図である。図１２Ｆは、ＳｅＮＢ変更手順を示す図であり、図１２Ｇは、ＭｅＮＢのｅＮＢ変更手順を示す図である。
【００９３】
図１２Ａは、ＳｅＮＢ追加手順を示す図である。ＳｅＮＢ追加手順はＭｅＮＢによって開始され、ＳｅＮＢからＵＥに無線リソースを提供するためにＳｅＮＢで端末コンテクストを確立するために用いられる。
【００９４】
ＭｅＮＢは、特定Ｅ−ＲＡＢに対する無線リソースを割り当てるようにＳｅＮＢに要求すると決定し、Ｅ−ＲＡＢ特性を示す（１）。ＳＣＧベアラーとは違い、分割（ｓｐｌｉｔ）ベアラーオプションの場合、ＭｅＮＢは、ＳｅＮＢからの各Ｅ−ＲＡＢに対するＱｏＳがＳｅＮＢと共にＭｅＮＢによって提供されたリソースの正確な合計によって保障される程度の量又はより多い量のリソースを要求することと決定する。ＭｅＮＢの決定は、ＳｅＮＢにシグナルされたＥ−ＲＡＢパラメータによって段階２に反映され得るが、このパラメータはＳ１を介して受信されたＥ−ＲＡＢパラメータと異なるものであってもよい。
【００９５】
ＳｅＮＢのＲＲＭエンティティがリソース要求を承認できる場合、ＲＲＭエンティティはそれぞれの無線リソースを割り当て、ベアラーオプションにしたがって各伝送ネットワークリソースを割り当てる（２）。ＳｅＮＢは、ＳｅＮＢ無線リソース設定の同期化が行われ得るようにランダムアクセスをトリガーすることができる。ＳｅＮＢは、新しい無線リソース設定をＭｅＮＢに提供する。ＳＣＧベアラーの場合、各Ｅ−ＲＡＢに対するＳ１  ＤＬ  ＴＮＬアドレス情報を共に提供し、分割ベアラーの場合にはＸ２  ＤＬ  ＴＮＬアドレス情報を提供する。
【００９６】
新しい設定を承認する場合、ＭｅＮＢは端末がこの設定を適用するようにトリガーする。端末は新しい設定を適用し始める（３）。そして、端末は再設定手順を完了する（４）。ＭｅＮＢは、端末が再設定手順の完了に成功したことをＳｅＮＢに知らせる（５）。端末はＳｅＮＢのセルに対して同期化を行う（６）。
【００９７】
ＳＣＧベアラーの場合、各Ｅ−ＲＡＢのベアラー特性によって、ＭｅＮＢは二重接続性の活性化によるサービス中断を最小化するために措置を取ることができる（７〜８）。ＳＣＧベアラーの場合、ＥＰＣへのＵＰ経路のアップデートが行われる（９〜１０）。
【００９８】
図１２Ｂは、ＭｅＮＢで始まったＳｅＮＢ変更手順を示す図であり、図１２Ｃは、ＳｅＮＢで始まったＳｅＮＢ変更手順を示す図である。
ＳｅＮＢ変更手順は、ＭｅＮＢによって又はＳｅＮＢによって開始され得る。これは、ベアラーコンテクストを修正、設定又は解除し、ＳｅＮＢとベアラーコンテクストを授受したり、ＳｅＮＢで端末コンテクストの他の属性を変更するために用いられ得る。必ずしもＵＥへのシグナリングを含む必要はない。
【００９９】
図１２Ｂと関連して、ＭｅＮＢはベアラーコンテクスト関連又は他の端末コンテクスト関連情報を含み得るＳｅＮＢ変更要求メッセージを送信し、適用可能な場合、データ伝達アドレス情報を送信する（１）。ＳｅＮＢは、無線設定情報、及び適用可能な場合にデータ伝達アドレス情報を含み得るＳｅＮＢ変更要求確認メッセージで応答する（２）。ＭｅＮＢは、ＲＲＣ接続再設定手順を開始する（３〜４）。ＲＲＣ接続再設定手順の成功をＳｅＮＢ再設定完了メッセージで示す（５）。端末はＳｅＮＢのセルに対して同期化を行う（６）。ＳｅＮＢのベアラーコンテクストがＳＣＧベアラーオプションと設定されていると、適用可能な場合にＭｅＮＢとＳｅＮＢ間にデータ伝達がなされる（７〜８）。そして、適用可能な場合、経路アップデートが行われる（９）。
【０１００】
図１２Ｃと関連して、ＳｅＮＢは、ベアラーコンテクスト関連又は他の端末コンテクスト関連情報を含み得るＳｅＮＢ変更要求メッセージを送信する（１）。
【０１０１】
ＳｅＮＢのベアラーコンテクストがＳＣＧベアラーオプションと設定され、データ伝達が適用される必要がある場合、ＭｅＮＢは、ＭｅＮＢ開始ＳｅＮＢ変更手順の準備をトリガーし、ＳｅＮＢ変更要求メッセージで伝達アドレス情報を提供する。（２〜３）ＭｅＮＢは、ＲＲＣ接続再設定手順を開始する（４〜５）。ＲＲＣ接続再設定手順の成功をＳｅＮＢ変更確認メッセージで示す（６）。端末はＳｅＮＢのセルに対して同期化を行う（７）。ＭｅＮＢとＳｅＮＢ間のデータ伝達が発生し（８〜９）、適用可能な場合に経路アップデートが行われる（１０）。
【０１０２】
図１２Ｄは、ＭｅＮＢで始まったＳｅＮＢ解除手順を示す図であり、図１１Ｅは、ＳｅＮＢで始まったＳｅＮＢ解除手順を示す図である。
【０１０３】
ＳｅＮＢ解除手順はＭｅＮＢによって又はＳｅＮＢによって開始され得る。この手順は、ＳｅＮＢで端末コンテクストを解除するために用いられる。必ずしもＵＥへのシグナリングを含む必要はない。
【０１０４】
図１２Ｄと関連して、ＭｅＮＢはＳｅＮＢ解除要求メッセージを送信することによって手順を開始する（１）。ＳｅＮＢのベアラーコンテクストがＳＣＧベアラーオプションと設定されており、例えば、ＭｅＮＢに移動する場合、ＭｅＮＢはＳｅＮＢにデータ伝達アドレスを提供する。ＳｅＮＢはデータ伝達を開始し、ＳｅＮＢ解除要求メッセージを受信すると、端末へのユーザデータ提供を中断することができる。ＭｅＮＢはＲＲＣ接続再設定手順を開始する（２〜３）。ＳｅＮＢからＭｅＮＢへのデータ伝達が発生し（４〜５）、適用可能な場合に経路アップデート手順が開始される（６）。端末コンテクスト解除（ＣＯＮＴＥＸＴ  ＲＥＬＥＡＳＥ）メッセージを受信すると、ＳｅＮＢは、端末コンテクストと関連した無線及びＣ平面関連リソースを解除することができる（７）。
【０１０５】
図１２Ｅと関連して、ＳｅＮＢは、ノード間メッセージを含めないでＳｅＮＢ解除要求メッセージを送信することによって手順を開始する。ＳｅＮＢのベアラーコンテクストがＳＣＧベアラーオプションと設定されており、例えばＭｅＮＢに移動する場合、ＭｅＮＢは、ＳｅＮＢ解除確認メッセージでＳｅＮＢにデータ伝達アドレスを提供する（２）。ＳｅＮＢはデータ伝送を開始し、ＳｅＮＢ解除確認メッセージを受信すると、端末へのユーザデータ提供を中止することができる。ＭｅＮＢはＲＲＣ接続再設定手順を開始する（３〜４）。ＳｅＮＢでＭｅＮＢへのデータ伝達が行われ（５〜６）、適用可能な場合に経路アップデート手順が開始される（７）。端末コンテクスト解除メッセージを受信すると、ＳｅＮＢは端末コンテクストと関連した無線及びＣ平面関連リソースを解除することができる。進行中のデータ伝達は続けられ得る（８）。
【０１０６】
図１２Ｆは、ＳｅＮＢ変更手順を示す図である。
【０１０７】
ＳｅＮＢ変更手順は、ソースＳｅＮＢから対象ＳｅＮＢに端末コンテクストを送信する手段を提供する。
【０１０８】
ＭｅＮＢは、ＳｅＮＢ追加準備手順を通じて端末に対するリソースを割り当てるように対象ＳｅＮＢに要求することによってＳｅＮＢ変更手順を開始する（１〜２）。伝達が必要な場合、対象ＳｅＮＢはＭｅＮＢに伝達アドレスを提供する。
【０１０９】
対象ＳｅＮＢリソースの割り当てが成功すると、ＭｅＮＢは、端末及びソースＳｅＮＢへのソースＳｅＮＢリソースの解除を開始する（３）。データ伝達が必要な場合、ＭｅＮＢはソースＳｅＮＢにデータ伝達アドレスを提供する。直接データ伝達又は間接データ伝達が用いられる。ＳｅＮＢ解除要求メッセージの受信は、ソースＳｅＮＢがユーザデータを端末に提供することを中止し、該当する場合、データ伝達を始めるようにトリガーする。ＭｅＮＢは、端末が新しい設定を適用するようにトリガーする（４〜５）。ＲＲＣ接続再設定手順に成功すると、ＭｅＮＢは対象ＳｅＮＢに知らせる（６）。端末は対象ＳｅＮＢと同期を取る（７）。ソースＳｅＮＢからのデータ伝達は、ＳＣＧベアラーオプションと設定されたＥ−ＲＡＢに対して行われる。これは、ソースＳｅＮＢがＭｅＮＢからＳｅＮＢ解除要求メッセージを受信するやいなや、始まり得る（８〜９）。ベアラーコンテクストのいずれか一つがソースＳｅＮＢでＳＣＧベアラーオプションと設定された場合、経路アップデートがＭｅＮＢによってトリガーされる（１０〜１４）。端末コンテクスト解除メッセージの受信時に、Ｓ−ＳｅＮＢは、端末コンテクストと関連した無線及びＣ平面関連リソースを解除することができる。進行中のデータ伝達は続けられ得る（１５）。
【０１１０】
図１２Ｇは、ＭｅＮＢのｅＮＢ変更手順を示す図である。
【０１１１】
ソースＭｅＮＢは、Ｘ２ハンドオーバー準備手順を開始することによってＭｅＮＢからｅＮＢへの変更手順を開始する（１〜２）。対象ｅＮＢは、ソースＭｅＮＢに伝達アドレスを提供することができる。対象ｅＮＢリソースの割り当てが成功すると、ＭｅＮＢはソースＳｅＮＢに対するソースＳｅＮＢリソースの解除を開始する（３）。ＭｅＮＢが伝達アドレスを受信し、ソースＳｅＮＢのベアラーコンテクストがＳＣＧベアラーオプションと設定されており、データ伝達が必要な場合に、ＭｅＮＢはソースＳｅＮＢにデータ伝達アドレスを提供する。直接データ伝達又は間接データ伝達のいずれかが用いられる。ＳｅＮＢ解除要求メッセージの受信は、ソースＳｅＮＢがユーザデータを端末に提供することを中止し、該当する場合、データ伝達を始めるようにトリガーする。ＭｅＮＢは、端末が新しい設定を適用するようにトリガーする（４）。端末は対象ｅＮＢと同期を取る（５〜６）。ＳｅＮＢからのデータ伝達は、ＳＣＧベアラーオプションと設定されたＥ−ＲＡＢに対して行われる（７〜８）。これは、ＳｅＮＢがＭｅＮＢからＳｅＮＢ解除要求メッセージを受信するやいなや、開始され得る。対象ｅＮＢはＳ１経路切替手順を開始する（９〜１３）。対象ｅＮＢはソースＭｅＮＢに対して端末コンテクスト解除手順を開始する（１４）。端末コンテクスト解除メッセージの受信時に、Ｓ−ＳｅＮＢは端末コンテクストと関連した無線及びＣ平面関連リソースを解除することができる。進行中のデータ伝達は続けられ得る（１５）。
【０１１２】
図１３は、二重接続性のためのＰＳＣｅｌｌ変更手順を示す図である。
【０１１３】
ＣＡの場合、ＰＣｅｌｌは常にハンドオーバー手順、すなわち、キー変更及びＲＡＣＨを介して変更される。具体的に、ハンドオーバー手順の間に、ＰＣｅｌｌは解除され、ＳＣｅｌｌが非活性化されながら追加される。
【０１１４】
ＤＣの場合、ＰＳＣｅｌｌがＰＣｅｌｌ機能の一部を支援するが、ＰＳＣｅｌｌはＲＲＣ接続が設定された後にのみ設定されるため、ＰＳｅｌｌは概念的にＰＣｅｌｌとは異なる。
【０１１５】
図１３と関連して、シナリオ１は、ＰＳＣｅｌｌが同一のＳｅＮＢ内の同一のセルに変更されることを表す。これは、保安キー更新／再入力（ｒｅｋｅｙｉｎｇ）のためである。ＰＳＣｅｌｌ変更中にＰＳＣｅｌｌが同一のＰＳＣｅｌｌに変更されると、ＰＳＣｅｌｌを含む全てのＳＣＧセルが解除される。
【０１１６】
シナリオ２は、ＰＳＣｅｌｌが同一のＳｅＮＢ内の設定された他のセルに変更されることを表す。これは主に、ロードバランシング又はＲＲＭ決定に起因する。
【０１１７】
セル１はそれ以上ＰＳＣｅｌｌではなく以前のＰＳＣｅｌｌである。以前のＰＳＣｅｌｌをＳＣＧ  ＳＣｅｌｌに修正するために、‘再設定’又は‘解除及び追加’を用いることができる。‘再設定’では、以前のＰＳＣｅｌｌを設定された状態に維持しながら、ＳＣＧの変更された設定だけが伝送される。‘解除及び追加’では、以前のＰＳＣｅｌｌが解除され、ＳＣＧ  ＳＣｅｌｌが非活性化されながら追加される。ＲＲＣの観点で、‘再設定’は、ＳＣＧ設定の変更された部分だけが伝送されるため、効率的であるとともに迅速であり、‘解除及び追加’は、一部のＳＣＧ設定が変更されなくても、全ＳＣＧ設定を送信するために追加シグナリングをもたらす。
【０１１８】
ＭＡＣの観点で、‘解除及び追加’は簡単であるが、‘再設定’は、次のようないくつかのＭＡＣ影響がある。
【０１１９】
−以前のＰＳＣｅｌｌ及びその他のＳＣＧ  ＳＣｅｌｌの活性化／非活性化
−以前のｐｒｉｍａｒｙ  ｓＴＡＧの処理
−再設定中に進行中のデータ伝送の処理
ＰＳＣｅｌｌ変更の間に、それ以上新しいＰＳＣｅｌｌでない以前のＰＳＣｅｌｌは、‘解除及び追加’によってのみＳＣＧ  ＳＣｅｌｌとして維持され得る。
【０１２０】
新しいＰＳＣｅｌｌが既に設定されたセルである場合、セル２は新しいＰＳＣｅｌｌである。新しいＰＳＣｅｌｌが既に同一のＳｅＮＢで設定されたＳＣＧ  ＳＣｅｌｌである場合、新しいＰＳＣｅｌｌは、ＳＣＧ  ＳＣｅｌｌの‘再設定’又は‘解除及び追加’によって設定され得る。‘再設定’では、ＳＣＧ  ＳＣｅｌｌを新しいＰＳＣｅｌｌとして昇格させるために、ＳＣＧの変更された設定だけが伝送される。‘解除及び追加’では、ＳＣＧ  ＳＣｅｌｌが解除されて新しいＰＳＣｅｌｌとして再び追加される。
【０１２１】
ＲＲＣの観点で、‘再設定’は、効率的でかつ迅速であるのに対し、‘解除及び追加’は、セル１の場合において説明したように、一部のシグナリングオーバーヘッドを誘発する。一方、ＭＡＣ観点からすれば、‘再設定’は、ＭＡＣ、例えば新しい主ｓＴＡＧの処理に影響を及ぼすのに対し、‘解除及び追加’は容易に達成することができる。したがって、ＰＳＣｅｌｌ変更中に設定されたＳＣＧ  ＳＣｅｌｌは、‘解除及び追加’によっても新しいＰＳＣｅｌｌとして設定することができる。
【０１２２】
シナリオ３は、ＰＳＣｅｌｌが同一のＳｅＮＢ内の新しいセルに変更されることを表す。
【０１２３】
セル１は、それ以上ＰＳＣｅｌｌではなく以前のＰＳＣｅｌｌであり、セル３は、以前のＰＳＣｅｌｌでもなく新しいＰＳＣｅｌｌでもないＳＣＧ  ＳＣｅｌｌの一つである。
【０１２４】
シナリオ３のセル１は、シナリオ２のセル１と同じ処理を有する。
【０１２５】
Ｃｅｌｌ３の場合、ＳＣＧ  ＳＣｅｌｌを維持するために‘再設定無し’又は‘解除及び追加’の２つのオプションがある。‘再設定無し’では、ＳＣＧ  ＳＣｅｌｌが設定変更無しで維持される。しかし、ＲＡＮ２はＰＳＣｅｌｌ変更中にＳＣＧ  ＳＣｅｌｌの活性化／非活性化状態を処理する方法を議論しなければならない。‘解除及び追加’では、全ＳＣＧ  ＳＣｅｌｌが解除され、再び非活性化された状態で追加される。‘再設定無し’は、ＣＡのＰＣｅｌｌ変更中にＳＣｅｌｌの現在処理、すなわち、ＳＣｅｌｌを継続維持しながらＳＣｅｌｌを非活性化することと類似してもよい。これに対し、‘解除及び追加’は簡単であり、ＤＣにおいてＰＳＣｅｌｌ変更内新しい／以前のＰＳＣｅｌｌの処理と共通点がある。したがって、ＰＳＣｅｌｌ変更中にＳＣＧ  ＳＣｅｌｌは‘解除及び追加’によってのみ維持され得る。
【０１２６】
シナリオ４は、ＰＳＣｅｌｌが個別のＳｅＮＢのセルに変更されることを表す。これは主に、ＲＲＭ決定に起因し、個別のＳｅＮＢ間のＰＳＣｅｌｌ変更は、ＳｅＮＢ変更手順によって実現される。したがって、以前のＳｅＮＢ内のＰＳＣｅｌｌ及びＳＣＧ  ＳＣｅｌｌを含む全てのＳＣＧセルを解除することは簡単である。
【０１２７】
新しいＰＳＣｅｌｌが同一のＳｅＮＢに設定されていないセル又は異なったＳｅＮＢ内のセルである場合、‘追加’によって新しいＰＳＣｅｌｌを設定することは簡単である。
【０１２８】
図１４は、Ｅ−ＵＴＲＡＮから端末へのＲＲＣ接続再設定メッセージ伝送を示す図である。
【０１２９】
ＲＲＣ接続再設定（ＲＲＣＣｏｎｎｅｃｔｉｏｎＲｅｃｏｎｆｉｇｕｒａｔｉｏｎ）メッセージが移動性制御情報（ｍｏｂｉｌｉｔｙＣｏｎｔｒｏｌＩｎｆｏ）を含まず、端末がこのメッセージに含まれた設定に従うことができる場合、このメッセージがＲＲＣ接続再設定手順の成功的な完了後に最初のＲＲＣ接続再設定メッセージであれば、端末はＳＲＢ２及び設定された全ＤＲＢに対してＰＤＣＰを再設定したり、ＳＲＢ２及び設定された全ＤＲＢに対してＲＬＣを再設定したり、存在する全ＤＲＢに対してＲＬＣを再設定したり、ＲＲＣ接続再設定メッセージにｆｕｌｌＣｏｎｆｉｇが含まれている場合に無線設定手順を行ったり、ＲＲＣ接続再設定メッセージがｒａｄｉｏＲｅｓｏｕｒｃｅＣｏｎｆｉｇＤｅｄｉｃａｔｅｄを含む場合に無線リソース設定手順を行ったり、又はＳＲＢ２及び全ＤＲＢが中断された場合にそれを再開始する。
【０１３０】
ＲＲＣ接続再設定メッセージがｒａｄｉｏＲｅｓｏｕｒｃｅＣｏｎｆｉｇＤｅｄｉｃａｔｅｄを含む場合、端末は無線リソース設定手順を行うことができる。
【０１３１】
受信されたＲＲＣ接続再設定がｓＣｅｌｌＴｏＲｅｌｅａｓｅＬｉｓｔを含む場合、端末はＳＣｅｌｌ解除を行うことができる。そして、受信されたＲＲＣ接続再設定がｓＣｅｌｌＴｏＡｄｄＭｏｄＬｉｓｔを含む場合、端末はＳＣｅｌｌ追加又は変更を行うことができる。受信されたＲＲＣ接続再設定がｓｙｓｔｅｍＩｎｆｏｒｍａｔｉｏｎＢｌｏｃｋＴｙｐｅ１Ｄｅｄｉｃａｔｅｄを含む場合、端末はＳｙｓｔｅｍＩｎｆｏｍａｔｉｏｎＢｌｏｃｋＴｙｐｅ１メッセージ受信時動作を行うことができる。ＲＲＣ接続再設定メッセージがｄｅｄｉｃａｔｅｄＩｎｆｏＮＡＳＬｉｓｔを含む場合、端末はｄｅｄｉｃａｔｅｄＩｎ−ｆｏＮＡＳＬｉｓｔの各要素を並べられた順序と同じ順序で上位層に伝達することができる。ＲＲＣ接続再設定メッセージがｍｅａｓＣｏｎｆｉｇを含む場合、端末は測定設定手順を行うことができる。ＲＲＣ接続再設定メッセージがｏｔｈｅｒＣｏｎｆｉｇを含む場合、端末は他の設定手順を行うことができる。
【０１３２】
端末は、ＲＲＣ接続再設定完了（ＲＲＣＣｏｎｎｅｃｔｉｏｎＲｅｃｏｎｆｉｇｕｒａｔｉｏｎＣｏｍｐｌｅｔｅ）メッセージを、新しい設定を用いた送信のために下位層に提出することができ、この時、手順は終了する。
【０１３３】
一方、ＲＲＣ接続再設定完了メッセージがｍｏｂｉｌｉｔｙＣｏｎｔｒｏｌＩｎｆｏを含み、端末がこのメッセージに含まれた設定に従うことができる場合、端末は、タイマーＴ３１０が実行中であればそれを中止し、タイマーＴ３１２が実行中であればそれを中止し、タイマーＴ３０４を、ｍｏｂｉｌｉｔｙＣｏｎｔｒｏｌＩｎｆｏに含まれたｔ３０４に設定されたタイマー値として起動したり、又はｃａｒｒｉｅｒＦｒｅｑが含まれる場合、対象ＰＣｅｌｌを、ｔａｒｇｅｔＰｈｙｓＣｅｌｌＩｄによって示された物理的セル識別子を有するｃａｒｒｉｅｒＦｒｅｑが示す周波数上にあると見なすことができる。
【０１３４】
また、ＲＲＣ接続再設定メッセージがｍｏｂｉｌｉｔｙＣｏｎｔｒｏｌＩｎｆｏを含み、端末がこのメッセージに含まれた設定に従うことができる場合、端末は対象ＰＣｅｌｌのＤＬに同期化を開始し、ＭＡＣをリセットし、設定された全ＲＢに対してＰＤＣＰを再設定し、設定された全ＲＢに対してＲＬＣを再設定し、下位層を構成してＳＣｅｌｌが設定された場合、非活性状態であると見なし、Ｃ−ＲＮＴＩとしてｎｅｗＵＥ−Ｉｄｅｎｔｉｔｙの値を適用する。
【０１３５】
図１５は、ｍｏｂｉｌｉｔｙＣｏｎｔｒｏｌＩｎｆｏを含むＲＲＣ接続再設定メッセージ受信無しで同一のＳｅＮＢ内で行われるＰＳＣｅｌｌ変更の例示図である。
【０１３６】
ＣＡで、ハンドオーバー手順の間に、全ＳＣｅｌｌは非活性化されたと見なされる。具体的に、端末はｍｏｂｉｌｉｔｙＣｏｎｔｒｏｌＩｎｆｏを含むＲＲＣ接続再設定を受信すると、全ての設定されたＳＣｅｌｌが非活性化状態にあると見なす。ハンドオーバー手順は、例えば、ネットワークによるＲＲＭ決定及び保安キー更新／再入力によってＰＣｅｌｌ変更のために用いられる。これは、ＰＣｅｌｌが変更されると全ＳＣｅｌｌが非活性化されたと見なすことを意味する。
【０１３７】
ＤＣで、ＰＳＣｅｌｌ（主ＳＣｅｌｌ）は、ロードバランシング又はＲＲＭ決定によって変更され得る。図１５に、ＳｅＮＢにおけるＰＳＣｅｌｌ変更の例が示されている。この例で、ＳｅＮＢ１に対するＰＳＣｅｌｌはセル１からセル３に変更される。
【０１３８】
この場合、端末はＰＣｅｌｌが変更されないため、ｍｏｂｉｌｉｔｙＣｏｎｔｒｏｌＩｎｆｏを含むＲＲＣ接続再設定を受信しなくてもよい。その後、端末は、ＳＣＧ  ＳＣｅｌｌを非活性化する活性化／非活性化ＭＡＣ  ＣＥを送信することによってネットワークがＳＣＧ  ＳＣｅｌｌを明示的に非活性化しない限り、ＳＣＧ  ＳＣｅｌｌ（この例では、セル２）の状態をそのまま維持する。ＰＳＣｅｌｌ変更中にＳＣＧ  ＳＣｅｌｌが活性化される場合、端末は、依然としてＰＳＣｅｌｌ変更手順によって適切に動作しないかもしれないＳＣＧ  ＳＣｅｌｌに対してＣＱＩ／ＰＭＩ／ＲＩ  ＰＴＩ報告、ＵＬ伝送、ＲＡＣＨ又はモニタリングＰＤＣＣＨを行うことができる。ＰＳＣｅｌｌ変更中に非効率的なＭＡＣ動作を避けるために、ＰＳＣｅｌｌ変更の間にＳＣＧ  ＳＣｅｌｌを非活性化する新しいメカニズムが必要である。
【０１３９】
図１６は、本発明の一実施例に係るＳＣＧ変更手順の間にＳＣＧ  ＳＣｅｌｌを非活性化する方法を示す概念図である。
【０１４０】
本発明で、二重接続性を支援する端末が、ＰＳＣｅｌｌが変更される間に、自動で設定されたＳＣＧのＳＣｅｌｌを非活性化することを提案する。詳しくは、端末がＭｅＮＢのＰＣｅｌｌが維持される間に、ＳｅＮＢ内のＰＳＣｅｌｌが変更されることを示すＲＲＣシグナリングを受信した時、端末は、ＰＳＣｅｌｌの変更があるＳｅＮＢの全ＳＣｅｌｌを非活性化する。ＳｅＮＢ内のＰＳＣｅｌｌが変更されるように、端末は基地局から現在ＰＳＣｅｌｌを解除し、ＳｅＮＢの新しいＰＳＣｅｌｌを設定するＲＲＣを受信する。
【０１４１】
端末がＭｅＮＢ及び少なくとも一つのＳｅＮＢと接続している場合、端末は、ＭｅＮＢ内のＭＣＥ  ＳＣｅｌｌと一つのＰＣｅｌｌが設定され、それぞれのＳｅＮＢ内のＳＣＧ  ＳＣｅｌｌと一つのＰＳＣｅｌｌが設定される（Ｓ１６０１）。
【０１４２】
端末はＭｅＮＢと接続を維持した状態で、ＰＳＣｅｌｌ変更手順を示すＲＲＣ再設定メッセージを受信する（Ｓ１６０３）。
【０１４３】
ＰＳＣｅｌｌ変更手順は、ｉ）同一のＳｅＮＢで同一のセルへの変更、ii）同一のＳｅＮＢ内の設定された他のセルへの変更、iii）同一のＳｅＮＢ内の新しく設定されたセルへの変更、及びiv）異なるＳｅＮＢ内のセルへの変更、を含む。
【０１４４】
ＲＲＣ再設定メッセージは、ｉ）新しく変更される新しいＰＳＣｅｌｌの指示、ii）以前のＰＳＣｅｌｌから新しいＰＳＣｅｌｌへの変更を指示、iii）以前のＰＳＣｅｌｌの解除及び新しいＰＳＣｅｌｌの追加を指示、iv）新しいＰＳＣｅｌｌの追加を指示、ｖ）新しいＰＳＣｅｌｌとして用いられるＳＣｅｌｌを指示、又はvi）変更される新しいＰＳＣｅｌｌを含むセカンダリ基地局を指示、を含む。
【０１４５】
端末がＭｅＮＢ又はＳｅＮＢから、該当のＳｅＮＢに対するＰＳＣｅｌｌの変更を示すＲＲＣシグナリングを受信した時、端末は、ＰＳＣｅｌｌが他のセルに変更されたか否かを確認する（Ｓ１６０５）。
【０１４６】
ＳＣＧ変更手順によって、上記ＰＳＣｅｌｌが変更されない場合、端末はセカンダリ基地局内の全ＳＣｅｌｌを非活性化する（Ｓ１６０７）。
【０１４７】
ＳＣＧ変更手順によって、以前のＰＳＣｅｌｌが新しいＰＳＣｅｌｌに変更される場合、端末は、新しいＰＳＣｅｌｌを除く上記セカンダリ基地局内の全ＳＣｅｌｌ及び変更される前のＰＳＣｅｌｌを非活性化する（Ｓ１６０９）。以前のＰＳＣｅｌｌが含まれたＳｅＮＢの場合（すなわち、ＳＣＧ変更手順に関与したＳｅＮＢの場合）、端末は、当該ＳｅＮＢに設定された全ＳＣｅｌｌを非活性化する。この場合、端末は、当該ＳＣｅｌｌのｓＣｅｌｌＤｅａｃｔｉｖａｔｉｏｎＴｉｍｅｒの動作を止めたり、ｓＣｅｌｌＤｅａｃｔｉｖａｔｉｏｎＴｉｍｅｒが止まらない間に当該ｓＣｅｌｌＤｅａｃｔｉｖａｔｉｏｎＴｉｍｅｒが全ＳＣｅｌｌに対して満了したと見なす。
【０１４８】
一方、以前のＰＳＣｅｌｌが含まれないＳｅＮＢの場合（すなわち、ＳＣＧ変更手順に関与しないＳｅＮＢの場合）、端末は、当該ＳＣＧ  ＳＣｅｌｌに対して何もしない。すなわち、端末は、当該ＳｅＮＢのＳＣＧ  ＳＣｅｌｌｌの活性化／非活性化状態を変更させない。さらに、ＭｅＮＢにおいて、ＭＣＧ  ＳＣｅｌｌに対しても何もしない。すなわち、端末は、該当のＭｅＮＢのＭＣＧ  ＳＣｅｌｌｌの活性化／非活性化状態を変更させない。
【０１４９】
本発明の思想又は範囲から逸脱することなく、本発明の多様な変形と変更が可能であることは当業者にとって自明である。よって、本発明は、添付の特許請求の範囲及びその同等物の範囲内で提供される本発明の変形と変更をカバーするものと意図される。
【０１５０】
以上で説明された実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されていない形態で実施されてもよい。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、又は、他の実施例の対応する構成又は特徴に置換されてもよい。特許請求の範囲において明示的な引用関係にない請求項を結合して実施例を構成したり、出願後の補正によって新たな請求項として含めたりできるということは明らかである。
【０１５１】
本発明の実施例において、基地局（ＢＳ）によって行われると説明された特定の動作は、上位ノードのＢＳによって行われてもよい。ＢＳを含む複数のネットワークノードで、ＭＳとの通信のために行われる様々な動作が、基地局によって行われたり、基地局以外の他のネットワークノードによって行われ得ることは明らかである。「ｅＮＢ」は、「固定局（ｆｉｘｅｄ  ｓｔａｔｉｏｎ）」、「ＮｏｄｅＢ」、「基地局（ＢＳ）」、アクセスポイントなどの用語に代替されてもよい。
【０１５２】
上述した実施例は、例えば、ハードウェア、ファームウェア、ソフトウェア又はこれらの組み合わせのような様々な手段によって具現されてもよい。
【０１５３】
ハードウェアの設定において、本発明の実施例に係る方法は、１つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現されてもよい。
【０１５４】
ファームウェアやソフトウェアによる具現の場合、本発明の一実施例は、以上で説明された機能又は動作を行うモジュール、手順、関数などの形態で具現されてもよい。ソフトウェアコードは、メモリユニットに格納され、プロセッサによって駆動され得る。前記メモリユニットは、前記プロセッサの内部又は外部に位置して、公知の様々な手段によって前記プロセッサとデータを交換することができる。
【０１５５】
本発明は、本発明の特徴を逸脱しない範囲で他の特定の形態に具体化できるということは、当業者にとって自明である。したがって、上記の詳細な説明は、全ての面で制限的に解釈してはならず、例示的なものとして考慮しなければならない。本発明の範囲は、添付の請求項の合理的解釈によって決定されなければならず、本発明の等価的範囲内での全ての変更は本発明の範囲に含まれる。
【産業上の利用可能性】
【０１５６】
以上の方法は、３ＧＰＰ  ＬＴＥシステムに適用される例示を中心に説明されたが、本発明は、３ＧＰＰ  ＬＴＥシステムの他にも様々な無線通信システムに適用可能である。
【図１】
2017528954.tif 000004
【図２Ａ】
2017528954.tif 000005
【図２Ｂ】
2017528954.tif 000006
【図３】
2017528954.tif 000007
【図４】
2017528954.tif 000008
【図５】
2017528954.tif 000009
【図６】
2017528954.tif 000010
【図７】
2017528954.tif 000011
【図８】
2017528954.tif 000012
【図９Ａ】
2017528954.tif 000013
【図９Ｂ】
2017528954.tif 000014
【図１０】
2017528954.tif 000015
【図１１Ａ】
2017528954.tif 000016
【図１１Ｂ】
2017528954.tif 000017
【図１２Ａ】
2017528954.tif 000018
【図１２Ｂ】
2017528954.tif 000019
【図１２Ｃ】
2017528954.tif 000020
【図１２Ｄ】
2017528954.tif 000021
【図１２Ｅ】
2017528954.tif 000022
【図１２Ｆ】
2017528954.tif 000023
【図１２Ｇ】
2017528954.tif 000024
【図１３】
2017528954.tif 000025
【図１４】
2017528954.tif 000026
【図１５】
2017528954.tif 000027
【図１６】
2017528954.tif 000028
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
無線通信システムで動作する端末（Ｕｓｅｒ  Ｅｑｕｉｐｍｅｎｔ）に対する方法であって、
プライマリセル（Ｐｒｉｍａｒｙ  Ｃｅｌｌ；ＰＣｅｌｌ）、及び一つ以上のセカンダリセル（Ｓｅｃｏｎｄａｒｙ  Ｃｅｌｌｓ；ＳＣｅｌｌ）を含むマスターｅＮＢ（ＭｅＮＢ）と関連するサービングセルのマスターセルグループ（Ｍａｓｔｅｒ  Ｃｅｌｌ  Ｇｒｏｕｐ；ＭＣＧ）と、プライマリセカンダリセル（Ｐｒｉｍａｒｙ−Ｓｅｃｏｎｄａｒｙ  Ｃｅｌｌ；ＰＳＣｅｌｌ）、及び一つ以上のＳＣｅｌｌを含むセカンダリｅＮＢ（ＳｅＮＢ）と関連するサービングセルのセカンダリセルグループ（Ｓｅｃｏｎｄａｒｙ  Ｃｅｌｌ  Ｇｒｏｕｐ；ＳＣＧ）と、を設定するステップと、
前記ＭｅＮＢとの接続を維持したまま、セカンダリセルグループ（Ｓｅｃｏｎｄａｒｙ  Ｃｅｌｌ  Ｇｒｏｕｐ；ＳＣＧ）変更手順を示す無線リソース制御（Ｒａｄｉｏ  Ｒｅｓｏｕｒｃｅ  Ｃｏｎｔｒｏｌ；ＲＲＣ）再設定メッセージを受信するステップと、
前記ＳＣＧ変更手順によって、前記ＰＳＣｅｌｌが変更されない場合、前記ＳＣＧの前記一つ以上のＳＣｅｌｌを非活性化するステップと、を含む、方法。
【請求項２】
前記ＳＣＧ変更手順によって、前記ＰＳＣｅｌｌとは異なる新しいＰＳＣｅｌｌが追加される場合、前記新しいＰＳＣｅｌｌを除く前記ＰＳＣｅｌｌ及び全ＳＣｅｌｌを非活性化するステップをさらに含む、請求項１に記載の方法。
【請求項３】
前記ＲＲＣ再設定メッセージが古いＰＳＣｅｌｌの新しいＰＳＣｅｌｌへの変更を示す場合、前記ＲＲＣ再設定メッセージは、
前記新しいＰＳＣｅｌｌの指示、
前記古いＰＳＣｅｌｌから前記新しいＰＳＣｅｌｌへの変更の指示、
前記古いＰＳＣｅｌｌの解除及び前記新しいＰＳＣｅｌｌの追加の指示、
前記新しいＰＳＣｅｌｌの追加の指示、
前記新しいＰＳＣｅｌｌとして用いられるＳＣｅｌｌの指示、及び
前記新しいＰＳＣｅｌｌが変更されるＳｅＮＢの指示の少なくとも一つを含む、請求項１に記載の方法。
【請求項４】
前記ＳＣＧの前記一つ以上のＳＣｅｌｌを非活性化する時、前記ＳＣＧのＳＣｅｌｌに対するＳＣｅｌｌ非活性タイマーを止めるステップをさらに含む、請求項１に記載の方法。
【請求項５】
前記端末は、前記ＭＣＧの前記一つ以上のＳＣｅｌｌの活性化又は非活性化状態を変更しない、請求項１に記載の方法。
【請求項６】
無線通信システムにおいて動作する端末（Ｕｓｅｒ  Ｅｑｕｉｐｍｅｎｔ）であって、
無線通信（Ｒａｄｉｏ  Ｆｒｅｑｕｅｎｃｙ；ＲＦ）モジュールと、
前記ＲＦモジュールに動作可能に接続されたプロセッサであって、
プライマリセル（Ｐｒｉｍａｒｙ  Ｃｅｌｌ；ＰＣｅｌｌ）、及び一つ以上のセカンダリセル（Ｓｅｃｏｎｄａｒｙ  Ｃｅｌｌｓ；ＳＣｅｌｌ）を含むマスターｅＮＢ（ＭｅＮＢ）と関連するサービングセルのマスターセルグループ（Ｍａｓｔｅｒ  Ｃｅｌｌ  Ｇｒｏｕｐ；ＭＣＧ）と、プライマリセカンダリセル（Ｐｒｉｍａｒｙ−Ｓｅｃｏｎｄａｒｙ  Ｃｅｌｌ；ＰＳＣｅｌｌ）、及び一つ以上のＳＣｅｌｌを含むセカンダリｅＮＢ（ＳｅＮＢ）と関連するサービングセルのセカンダリセルグループ（Ｓｅｃｏｎｄａｒｙ  Ｃｅｌｌ  Ｇｒｏｕｐ；ＳＣＧ）と、を設定し、前記ＭｅＮＢとの接続を維持したまま、セカンダリセルグループ（Ｓｅｃｏｎｄａｒｙ  Ｃｅｌｌ  Ｇｒｏｕｐ；ＳＣＧ）変更手順を示す無線リソース制御（Ｒａｄｉｏ  Ｒｅｓｏｕｒｃｅ  Ｃｏｎｔｒｏｌ；ＲＲＣ）再設定メッセージを受信し、前記ＳＣＧ変更手順によって、前記ＰＳＣｅｌｌが変更されない場合、前記ＳＣＧの前記一つ以上のＳＣｅｌｌを非活性化するように構成されるプロセッサとを備える、端末。
【請求項７】
前記ＳＣＧ変更手順によって、前記ＰＳＣｅｌｌとは異なる新しいＰＳＣｅｌｌが追加される場合、前記プロセッサはさらに、前記新しいＰＳＣｅｌｌを除く前記ＰＳＣｅｌｌ及び全ＳＣｅｌｌを非活性化するように構成される、請求項６に記載の端末。
【請求項８】
前記ＲＲＣ再設定メッセージが古いＰＳＣｅｌｌの新しいＰＳＣｅｌｌへの変更を示す場合、前記ＲＲＣ再設定メッセージは、
前記新しいＰＳＣｅｌｌの指示、
前記古いＰＳＣｅｌｌから前記新しいＰＳＣｅｌｌへの変更の指示、
前記古いＰＳＣｅｌｌの解除及び前記新しいＰＳＣｅｌｌの追加の指示、
前記新しいＰＳＣｅｌｌの追加の指示、
前記新しいＰＳＣｅｌｌとして用いられるＳＣｅｌｌの指示、及び
前記新しいＰＳＣｅｌｌが変更されるＳｅＮＢの指示の少なくとも一つを含む、請求項６に記載の端末。
【請求項９】
前記ＳＣＧの前記一つ以上のＳＣｅｌｌを非活性化する時、前記プロセッサはさらに、前記ＳＣＧのＳＣｅｌｌに対するＳＣｅｌｌ非活性タイマーを止めるように構成される、請求項６に記載の端末。
【請求項１０】
前記プロセッサは、前記ＭＣＧの前記一つ以上のＳＣｅｌｌの活性化又は非活性化状態を変更しない、請求項６に記載の端末。
【国際調査報告】
2017528954.tif 000029
2017528954.tif 000030
2017528954.tif 000031